(57)【要約】【課題】複数の目盛線から構成される目盛において、目盛値の判読が容易に出来る目盛を提供する。【解決手段】所要な大きさを備えた目盛本体とこれに形成された複数の目盛線において、目盛値が０となる目盛線を起点として、任意に定める目盛値間隔毎のそれぞれの目盛線に０から１ずつ昇順に仮番号を付番し、仮番号の最下位の数が２、３、７、８となる目盛線と仮番号の最下位の数が１、４、６、９となる目盛線の表示方法が異なるものとする。【選択図】  図１
2020030222.tif 000002
【特許請求の範囲】
【請求項１】
所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の表示方法が異なることを特徴とする目盛。
【請求項２】
所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の線幅の表示方法が異なることを特徴とする目盛。
【請求項３】
所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の目盛数字の表示方法が異なることを特徴とする目盛。
【請求項４】
所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線に任意の形状の印を設け、仮番号の最下位の数が１、４、６、９となる目盛線には任意の形状の印を設けないことにより印の表示方法が異なることを特徴とする目盛。
【請求項５】
所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が３、８となる目盛線と仮番号の最下位の数が１、２、４、６、７、９となる目盛線の表示方法が異なることを特徴とする目盛。
【請求項６】
所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、７となる目盛線と仮番号の最下位の数が１、３、４、６、８、９となる目盛線の表示方法が異なることを特徴とする目盛。
【請求項７】
所要な大きさを備えた目盛本体とこれに形成された複数の目盛線において、４本ずつ形成される最小目盛線の４本のうちの任意の２本の目盛線の線幅が残りの２本の目盛線の線幅と異なることを特徴とする目盛。
【請求項８】
所要な大きさを備えた目盛本体とこれに設けられた複数の目盛位置を示す目盛表示において、目盛値が０となる目盛表示を起点とし、任意に定める目盛間隔毎のそれぞれの目盛表示に０から１ずつ昇順に仮番号を付番し、その仮番号の最下位の数が２、３、７、８となる目盛表示と仮番号の最下位の数が１、４、６、９となる目盛表示の表示方法が異なることを特徴とする目盛。
【請求項９】
所要な目盛線に、目盛線の中間部分を消す切欠きを設けたことを特徴とする請求項１又は請求項２又は請求項３又は請求項４又は請求項５又は請求項６又は請求項７又は請求項８に記載の目盛。
【発明の詳細な説明】
【技術分野】
【０００１】
本発明は、スケールやメスシリンダーなど測定機械器具及び計量器、金属加工機械器具、光学機械器具、医療用機械器具、電気通信機械器具、車両、船舶及び航空機などの目盛に関する。
【背景技術】
【０００２】
従来の測定や設定などを行う目盛は、図３６などの目盛が知られている。
当該従来の目盛本体６００は、０から１０ｃｍの範囲で目盛位置を示す目盛線が形成されていて、目盛線の測定量や設定量などである目盛値が０となる目盛線を起点として、ある目盛線から別の目盛線の目盛値の差である目盛値間隔が最小となる目盛値間隔毎の目盛線と目盛線の間を５等分するように４本ずつ形成される最小目盛線６０と、最小目盛線６０より目盛線の長さである線長が長く１ｃｍを２等分するように形成される小目盛線６２と、小目盛線６２より線長が長く目盛線の幅員を示す線幅が太く目盛値が０となる目盛線を起点として目盛値間隔が５ｃｍ毎となる目盛線と目盛線の間を５等分するように４本ずつ形成される中目盛線６４、中目盛線６４より線長が長く、線幅は同じで目盛値が０となる目盛線を起点として目盛値間隔が５ｃｍ毎に形成される大目盛線６６から構成されている。
なお、前記のような目盛線から構成され最小目盛線の線長を暫次異なるものとした目盛が知られている。（特許文献１参照）
また、前記のような目盛線から構成され目盛線がダイヤル状に形成された圧力計や電圧計などの目盛がある。
また、前記のような目盛線から構成された液体の体積を量るための液量計や注射筒などに設けられる目盛がある。
また、前記のような目盛線から構成された旋盤の送り目盛など設定部に設けられる目盛がある。
また、前記のような目盛線から構成され、最小目盛線の全てに目盛数字を設けた目盛が知られている。（特許文献２参照）
また、電気通信機械器具に設けられる回転式やスライド式の設定つまみなど、目盛位置を目盛数字や印や目盛線などの目盛表示で示す目盛がある。
【先行技術文献】
【特許文献】
【０００３】
【特許文献１】実開昭６２−１３４７９８号公報
【特許文献２】意匠登録第１４９９２３１号公報
【発明の概要】
【発明が解決しようとする課題】
【０００４】
目盛本体６００のような従来の目盛には次のような欠点があった。
中目盛線６４においては、４本ずつ形成される目盛線の目盛表示が目盛数字５０ｂの数が変化するのみで、それぞれの中目盛線６４の表示方法が同一であるため、それぞれの中目盛線６４を直感的に判別しにくく、測定や設定などが行いにくい難点があった。
また、目盛線がダイヤル状に形成された目盛においても同様の難点があった。
【０００５】
また、最小目盛線６０においては、４本ずつ形成される目盛線の表示方法が同一で、特許文献１についても、最小目盛線の線長を漸次異なるものとしているが線長が漸次異なるのみで、また、どちらの場合も最小目盛線同士の間隔が狭いため、最小目盛線の目盛値を判読するためには、４本ずつ形成される最小目盛線をいちいち数えてそれぞれの最小目盛線を判別する必要があった。
また、目盛線がダイヤル状に形成された目盛においても同様の難点があった。
【０００６】
このようにして４本ずつ形成される最小目盛線の判別が出来ると、次は１目盛の目盛値量である目量に、この最小目盛線が、４本のうちの目盛値が０の方向から数えて何番目の最小目盛線となるかの数を掛けるなどして目盛値を判読していた。
そして、この目量を把握するためには、この従来の目盛本体６００の目盛であれば、５ｍｍの目盛値間隔を目盛線で５分割しているので、５ｍｍを５で割って１目盛の目量を１ｍｍと把握していた。
このように目量の数が１の場合は、目盛値の判読を行う最小目盛線が、４本の最小目盛線のうち目盛値が０の方向から数えて何番目の最小目盛線となるかを把握できれば、目量が１なので何番目の最小目盛線かの数と目量を掛けて目盛値を計算する必要はないが、目量が１以外の２などの目盛の目盛値を判読する場合は、何番目の最小目盛線かの数とこの目量を掛けて計算をする必要があった。
【０００７】
また、従来の目盛は、この目量の記載がある場合とない場合がある。
そのため、目盛値の判読を行う際には、まず目量の記載の有無を確認し、有る場合にはその目量を確認してから目盛値を判読し、無い場合には、前記のように目量の計算をしてから目盛値の判読を行っていた。
このように、従来の目盛においては最小目盛線の判別、目量の把握及び目盛値の判読において、手間と時間が掛かる難点があった。
【０００８】
また、特許文献２では、最小目盛線６０の全てに目盛数字を設けているが、目盛数字の表示が多くなり過ぎることで目盛が見にくくなるとともに、最小目盛線の目盛数字の数が変化するのみで、最小目盛線６０の表示方法が同一であるため、それぞれの最小目盛線の直感的な判別と目盛値の判読が行いにくい難点があった。
【０００９】
また、液体の体積を測定する液量計などにこのような複数の目盛線からなる従来の目盛表示方法の目盛を利用した場合、前記のような難点が存するとともに、これ以外に測定などの際に、測定対象物の液面と目盛線が重なってしまい、液面の視認性が低い難点があった。
しかし目盛線と液面が重ならないようにするためには、目盛線の端部で液面位置を確認して測定を行う必要があるが、その場合には、目盛線の端部での測定となり目盛値の判読が行いにくい難点もあった。
【００１０】
また、旋盤の送り目盛など設定部に設けられる目盛にこのような従来の目盛表示方法の目盛を利用した場合、前記のような難点が存するとともに、これ以外にこのような目盛の設定用の指針は、目盛本体の一側縁に設けられることが多く、指針の視認性及び目盛値の判読性が低い難点があった。
【００１１】
また、電気通信機械器具に設けられる回転式やスライド式の設定つまみなど、目盛位置を目盛数字や印や目盛線などの目盛表示で示す目盛は、目盛表示の表示方法が全て同一か、表示方法に変化が有る場合でも通常５目盛毎の変化で、この５目盛毎の目盛表示の間に４個ずつ設けられる目盛表示は表示方法が同一であるため、それぞれの目盛表示を直感的に判別しにくく、目盛設定が行いにくい難点があった。
本発明は、以上の欠点を解決するためのものである。
【課題を解決するための手段】
【００１２】
本発明の目盛は、所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の表示方法が異なることを特徴とする。
【００１３】
また、本発明の目盛は、所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の線幅の表示方法が異なることを特徴とする。
【００１４】
また、本発明の目盛は、所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の目盛数字の表示方法が異なることを特徴とする。
【００１５】
また、本発明の目盛は、所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線に任意の形状の印を設け、仮番号の最下位の数が１、４、６、９となる目盛線には任意の形状の印を設けないことにより印の表示方法が異なることを特徴とする。
【００１６】
また、本発明の目盛は、所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が３、８となる目盛線と仮番号の最下位の数が１、２、４、６、７、９となる目盛線の表示方法が異なることを特徴とする。
【００１７】
また、本発明の目盛は、所要な大きさを備えた目盛本体とこれに形成された複数の目盛線において、目盛値が０となる目盛線を起点とし、任意に定める目盛値間隔毎のそれぞれの目盛線に０から１ずつ昇順に仮番号を付番し、その仮番号の最下位の数が２、７となる目盛線と仮番号の最下位の数が１、３、４、６、８、９となる目盛線の表示方法が異なることを特徴とする。
【００１８】
また、本発明の目盛は、所要な大きさを備えた目盛本体とこれに形成された複数の目盛線において、４本ずつ形成される最小目盛線の４本のうちの任意の２本の目盛線の線幅が残りの２本の目盛線の線幅と異なることを特徴とする。
【００１９】
また、本発明の目盛は、所要な大きさを備えた目盛本体とこれに設けられた複数の目盛位置を示す目盛表示において、目盛値が０となる目盛表示を起点とし、任意に定める目盛間隔毎のそれぞれの目盛表示に０から１ずつ昇順に仮番号を付番し、その仮番号の最下位の数が２、３、７、８となる目盛表示と仮番号の最下位の数が１、４、６、９となる目盛表示の表示方法が異なることを特徴とする。
【００２０】
また、本発明の目盛は、所要な目盛線に、目盛線の中間部分を消す切欠きを設けたことを特徴とする。
【発明の効果】
【００２１】
本発明によれば、目盛値が０となる目盛線を起点とし、任意に定める目盛値間隔毎のそれぞれの目盛線に０から１ずつ昇順に仮番号を付番し、付番した仮番号の最下位の数が２、３、７、８となる目盛線と仮番号の最下位の数が１、４、６、９となる目盛線の表示方法が異なるので、仮番号の最下位の数が１、２、３、４、６、７、８、９となるそれぞれの目盛線を直感的に判別出来るので測定や設定などが行いやすい。
【００２２】
また、最小目盛線において、目盛値が０となる目盛線を起点とし、任意に定める目盛値間隔毎のそれぞれの目盛線に０から１ずつ昇順に仮番号を付番し、付番した仮番号の最下位の数が２、３、７、８となる最小目盛線と仮番号の最下位の数が１、４、６、９となる最小目盛線の表示方法が異なるので、４本ずつ形成される最小目盛線をいちいち数えなくとも、それぞれの最小目盛線を直感的に判別出来るとともに、それぞれの最小目盛線の目盛値を容易に判読出来る。
【００２３】
また、スケールや液量計などに設けられる目盛において、目盛線の中間部分に切欠きを設けているので、目盛値の判読が行いやすい。
【００２４】
また、旋盤の送り目盛など設定部に設けられている目盛において、目盛線の中間部分に設定用の指針のための切欠きを設けているので、設定用の指針の視認性が高いとともに、目盛値の判読が行いやすい。
【００２５】
また、目盛位置を目盛数字や印や目盛線などの目盛表示で示す目盛において、目盛値が０となる目盛表示を起点とし、任意に定める目盛間隔毎のそれぞれの目盛表示に０から１ずつ昇順に仮番号を付番し、その仮番号の最下位の数が２、３、７、８となる目盛表示と仮番号の最下位の数が１、４、６、９となる目盛表示の表示方法が異なるので、それぞれの目盛表示の直感的に判別出来るとともに目盛設定が行いやすい。
【００２６】
また、本発明の目盛の製造単価については、従来の目盛のプリントパターンなどを変更すればよいので、従来と同等の費用で製造することが出来る。
【図面の簡単な説明】
【００２７】
【図１】本発明の第１の実施の形態による目盛全体を示す平面図
【図２】本発明の第２の実施の形態による目盛全体を示す平面図
【図３】本発明の第３の実施の形態による目盛全体を示す平面図
【図４】図３に示した目盛全体の変形例を示す平面図
【図５】図３に示した目盛全体の変形例を示す平面図
【図６】図３に示した目盛全体の変形例を示す平面図
【図７】本発明の第４の実施の形態による目盛全体を示す平面図
【図８】本発明の第５の実施の形態による目盛全体を示す平面図
【図９】図７に示した目盛全体の変形例を示す平面図
【図１０】本発明の第６の実施の形態による目盛全体を示す平面図
【図１１】本発明の第７の実施の形態による目盛全体を示す平面図
【図１２】本発明の第８の実施の形態による目盛全体を示す平面図
【図１３】本発明の第９の実施の形態による目盛全体を示す平面図
【図１４】本発明の第１０の実施の形態による目盛全体を示す平面図
【図１５】本発明の第１１の実施の形態による目盛全体を示す平面図
【図１６】本発明の第１２の実施の形態による目盛全体を示す平面図
【図１７】本発明の第１３の実施の形態による目盛全体を示す平面図
【図１８】本発明の第１４の実施の形態による目盛全体を示す平面図
【図１９】本発明の第１５の実施の形態による目盛全体を示す平面図
【図２０】本発明の第１６の実施の形態による目盛全体を示す平面図
【図２１】本発明の第１７の実施の形態による目盛全体を示す平面図
【図２２】本発明の第１８の実施の形態による目盛全体を示す平面図
【図２３】本発明の第１９の実施の形態による目盛全体を示す平面図
【図２４】本発明の第１９の実施の形態による目盛のＡ部拡大図を示す平面図
【図２５】本発明の第２０の実施の形態による目盛全体を示す平面図
【図２６】本発明の第２１の実施の形態による目盛全体を示す平面図
【図２７】本発明の第２２の実施の形態による目盛全体を示す平面図
【図２８】本発明の第２３の実施の形態による目盛全体を示す平面図
【図２９】本発明の第２４の実施の形態による目盛全体を示す平面図
【図３０】本発明の第２５の実施の形態による目盛全体を示す平面図
【図３１】本発明の第２６の実施の形態による目盛全体を示す平面図
【図３２】図３０で示した目盛全体の変形例を示す平面図
【図３３】本発明の第２７の実施の形態による目盛全体を示す平面図
【図３４】本発明の第２８の実施の形態による目盛全体を示す平面図
【図３５】本発明の第２９の実施の形態による目盛全体を示す平面図
【図３６】従来の目盛を示す平面図
【発明を実施するための形態】
【００２８】
以下図面を参照して実施の形態を説明する。なお、以下の各実施の形態については、図面に基づき具体的に記載したが、この具体的構成に、本発明が限定されるものではない。
【００２９】
（第１の実施の形態）
本発明の第１の実施の形態について、図１により説明する。この実施の形態は、次によりなされた物の長さの測定などを行うスケールの目盛である。
イ、目盛本体１０の一側縁に、次により目盛線を形成する。
まず、目盛値０ｃｍから目盛値１０ｃｍの範囲で、目盛値間隔１ｍｍ毎に、目盛線の線長が同じである１ｍｍ毎の目盛線を目盛値が左側から右側方向に昇順となるように形成する。
このうち、目盛値が５、１５、２５、３５、４５、５５、６５、７５、８５、９５ｍｍとなる５ｍｍ毎の目盛線の線長を前記１ｍｍ毎の目盛線の１．５倍の線長とする。
次に、目盛値が１、２、３、４、６、７、８、９ｃｍとなる１ｃｍ毎の目盛線の線長と線幅を、前記５ｍｍ毎の目盛線の線長の１．５倍、線幅は２．５倍とし、この１ｃｍ毎の目盛線内側先端付近に、それぞれの目盛線の目盛値を示す目盛数字５０ｂを設ける。
次に、目盛値が０ｃｍ、５ｃｍ、１０ｃｍとなる５ｃｍ毎の目盛線の線長と線幅を、前記１ｃｍ毎の目盛線の線長の１．２倍、線幅は同じくし、本５ｃｍ毎の目盛線内側先端付近に、それぞれの目盛線の目盛値を示す目盛数字５０ｂを設ける。
【００３０】
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、仮番号の最下位の数が２、３、７、８となる目盛線３２ａ、３３ａ、３７ａ、３８ａの線長と線幅を、仮番号の最下位の数が１、４、６、９となる目盛線３１ａ、３４ａ、３６ａ、３９ａの線長の１．２倍、線幅は前記１ｃｍ毎の目盛線と同じ線幅とする。
目盛線３２ａ、３３ａ、３７ａ、３８ａの内側先端に本目盛線の線幅の２倍の直径の内側が黒く着色された円形の印４０とそれぞれの目盛線の目盛値のｃｍ単位換算で小数点以下第一位の数である「２」、「３」、「７」、「８」の目盛数字５０ａを設ける。
【００３１】
へ、次に、任意に定める目盛値間隔を１０ｍｍとして再度仮番号の付番を行う。
ト、起点２０から、任意に定める目盛値間隔１０ｍｍ毎のそれぞれの目盛線に、順に、０から１ずつ昇順に仮番号を付番する。
チ、その仮番号の最下位の数が、２、３、７、８となる目盛線３２ｂ、３３ｂ、３７ｂ、３８ｂの目盛数字５０ｂを円形の線で囲む。
【００３２】
なお、本発明における仮番号は、便宜的なもので、本発明の目盛に設ける必要はない。（以下の実施の形態においても同様とする。）
また、仮番号を付番する際の任意に定める目盛値間隔は、目盛線の直感的な判別や目盛値の容易な判読が必要な目盛線に仮番号が付番されるように目盛値間隔の設定を行う。（以下の実施の形態においても同様とする。）
【００３３】
このように、ｃｍ毎の目盛線である目盛線３２ｂ、３３ｂ、３７ｂ、３８ｂの目盛数字５０ｂを円形の線で囲み、同じくｃｍ毎の目盛線である目盛線３１ｂ、３４ｂ、３６ｂ、３９ｂの目盛数字５０ｂは円形の線で囲まないことにより、目盛線３２ｂ、３３ｂ、３７ｂ、３８ｂと目盛線３１ｂ、３４ｂ、３６ｂ、３９ｂの表示方法が異なるものとする。
【００３４】
このようにして、目盛線３２ｂ、３３ｂ、３７ｂ、３８ｂの目盛数字５０ｂである「２」、「３」、「７」、「８」を円形の線で囲むことで、その目盛線３２ｂ、３３ｂ、３７ｂ、３８ｂのそれぞれの目盛線を直感的に判別出来る。
また、この目盛線３２ｂ、３３ｂ、３７ｂ、３８ｂのそれぞれの目盛線が直感的に判別出来ることで、隣り合う目盛数字５０ｂが「１」、「４」、「６」、「９」となる目盛線３１ｂ、３４ｂ、３６ｂ、３９ｂのそれぞれの目盛線も直感的に判別出来る。
以上のことから、このような目盛をスケールに設ければ、目盛線３１ｂ、３２ｂ、３３ｂ、３４ｂ、３６ｂ、３７ｂ、３８ｂ、３９ｂのそれぞれの目盛線を直感的に判別出来るので測定などが行いやすい。
【００３５】
また、このようにｃｍ単位で隣り合う「２」、「３」などの目盛数字５０ｂを円形の線で囲むことで、この「２」、「３」などの目盛数字５０ｂの位置を把握しやすい。
また、この目盛線３２ｂ、３３ｂの「２」、「３」の目盛数字５０ｂは目盛線３１ｂ、３２ｂ、３３ｂ、３４ｂの目盛数字５０ｂである「１」、「２」、「３」、「４」の中央に位置するとともに、目盛線３７ｂ、３８ｂの「７」、「８」も、目盛線３６ｂ、３７ｂ、３８ｂ、３９ｂの目盛数字５０ｂである「６」、「７」、「８」、「９」の中央に位置しているため、「２」、「３」、「７」、「８」の目盛数字５０ｂの位置を把握しやすい。
また、この円形の線で囲まれた「２」、「３」、「７」、「８」の目盛数字５０ｂが目安となりｃｍ単位の目盛線の全体的な目盛位置の把握が行いやすい。
【００３６】
この実施の形態では、目盛線３２ｂ、３３ｂ、３７ｂ、３８ｂの目盛数字５０ｂを円形の線で囲んでいるが、当該目盛数字５０ｂを四角形など任意の形状の線で囲んだり、アンダーラインを引くなどしても良い。また、この目盛線３２ｂ、３３ｂ、３７ｂ、３８ｂの目盛数字５０ｂのフォントのサイズや種類、文字色、背景部分の色などを目盛線３１ｂ、３４ｂ、３６ｂ、３９ｂと異なる表示方法としても良い。
このように、目盛線３２ｂ、３３ｂ、３７ｂ、３８ｂと目盛線３１ｂ、３４ｂ、３６ｂ、３９ｂの表示方法が異なるものとする方法は、表示方法に相違点があればどのような方法でも良い。
【００３７】
また、最小目盛線である目盛線３２ａ、３３ａ、３７ａ、３８ａの線長と線幅を、同じく最小目盛線である目盛線３１ａ、３４ａ、３６ａ、３９ａより線長を長く、線幅を太くし、目盛線３２ａ、３３ａ、３７ａ、３８ａの先端には円形の印４０と目盛数字５０ａを設けることにより、目盛線３２ａ、３３ａ、３７ａ、３８ａと目盛線３１ａ、３４ａ、３６ａ、３９ａの表示方法が異なるものとする。
【００３８】
このような目盛線３２ａ、３３ａ、３７ａ、３８ａと目盛線３１ａ、３４ａ、３６ａ、３９ａの相違点のある目盛をスケールに設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第一位の数が２、３、７、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【００３９】
また、目盛線３２ａ、３３ａ、３７ａ、３８ａの線幅を目盛線３１ａ、３４ａ、３６ａ、３９ａより太くするだけでも、目盛線３２ａ、３３ａ、３７ａ、３８ａと目盛線３１ａ、３４ａ、３６ａ、３９ａを直感的に判別出来るとともに、それぞれの目盛線の目盛値の判読が容易に出来るので、そのようにしても良い。
【００４０】
また、目盛線３２ａ、３３ａ、３７ａ、３８ａに印４０を設け、目盛線３１ａ、３４ａ、３６ａ、３９ａに印４０を設けないだけでも、目盛線３２ａ、３３ａ、３７ａ、３８ａと目盛線３１ａ、３４ａ、３６ａ、３９ａを直感的に判別出来るとともに、それぞれの目盛線の目盛値の判読が容易に出来るので、そのようにしても良い。
【００４１】
また、目盛線３２ａ、３３ａ、３７ａ、３８ａに目盛数字５０ａを設け、目盛線３１ａ、３４ａ、３６ａ、３９ａに目盛数字５０ａを設けないだけでも、目盛線３２ａ、３３ａ、３７ａ、３８ａと目盛線３１ａ、３４ａ、３６ａ、３９ａを直感的に判別出来るとともに、それぞれの目盛線の目盛値の判読が容易に出来るので、そのようにしても良い。
【００４２】
また、全体が透明な素材のスケールにおいて、最小目盛線である目盛線３２ａ、３３ａ、３７ａ、３８ａをスケールの表面に形成し、それ以外の目盛線３１ａ、３４ａ、３６ａ、３９ａなどの目盛線をスケールの反対側の面に形成する目盛としても良い。
【００４３】
このようにすることにより、スケールの肉厚により、目盛線３２ａ、３３ａ、３７ａ、３８ａとそれ以外の目盛線３１ａ、３４ａ、３６ａ、３９ａなどの目盛線との高低差が生じるため、目盛線３２ａ、３３ａ、３７ａ、３８ａと目盛線３１ａ、３４ａ、３６ａ、３９ａを直感的に判別出来るとともに、それぞれの目盛線の目盛値の判読が容易に出来るのでそのようにしても良い。（図示省略）
【００４４】
このように、目盛値が０となる目盛線を起点とし、任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の表示方法が異なるものとする方法には、目盛線の線幅、目盛線の目盛数字、目盛線の印、目盛線の形状などの表示方法によるものがあり、表示方法に相違点があればどのような方法でも良い。
（以下の実施の形態においても同様とする。）
【００４５】
また、離れた目盛線ではなく隣り合う目盛線３２ａと目盛線３３ａ、目盛線３７ａと目盛線３８ａの最小目盛線の線幅を目盛線３１ａ、３４ａ、３６ａ、３９ａより太くなどしているので、目盛線３２ａ、３３ａ、３７ａ、３８ａの位置を把握しやすい。
【００４６】
また、目盛線３２ａ、３３ａ、３７ａ、３８ａは、それぞれ目盛線３１ａ、３２ａ、３３ａ、３４ａと目盛線３６ａ、３７ａ、３８ａ、３９ａの左右に偏ることなく中央に位置しているので、目盛線３２ａ、３３ａ、３７ａ、３８ａの位置を把握しやすい。
【００４７】
また、図１のこの実施の形態においては、目盛線３２ａ、３３ａ、３７ａ、３８ａに目盛数字５０ａである「２」、「３」、「７」、「８」を設けたことで、この目盛数字５０ａを設けない場合に比べ目盛線３２ａ、３３ａ、３７ａ、３８ａの目盛値の判読が行いやすい。
また、この目盛線３２ａと目盛線３３ａ、目盛線３７ａと目盛線３８ａの隣り合う目盛線に目盛数字５０ａを設けているので、「２」と「３」、「７」と「８」の目盛数字５０ａの差から目量が、１ｍｍであることが容易に把握出来る。
【００４８】
このように目量が、１ｍｍであることが容易に把握出来ることで、目盛線３２ａ、３３ａ、３７ａ、３８ａと隣り合う目盛数字５０ａのない目盛線３１ａ、３４ａ、３６ａ、３９ａも、目盛線３２ａ、３３ａ、３７ａ、３８ａの目盛数字５０ａに目量の１ｍｍを足したり、引いたりすることで、目盛線３１ａ、３４ａ、３６ａ、３９ａの目盛値も目盛線３２ａ、３３ａ、３７ａ、３８ａと同様に目盛数字５０ａを設けない場合に比べ目盛値の判読が行いやすい。
【００４９】
また、本発明のそれぞれの目盛線の線幅は、目盛線を見やすくするため、目盛線の中心から隣の目盛線の中心までの間隔の４分の１以内とすることが望ましい。（以下の実施の形態においても、ダイヤル状の目盛を除き同様とする。）
【００５０】
なお、特許文献２では、全ての最小目盛線に目盛数字を設けているが、そのため最小目盛線の目盛数字の表示が多くなり目盛が見にくいとともに、最小目盛線の目盛数字が変わるのみで表示方法が同一であるため、最小目盛線の直感的な判別が行いにくいが、この実施の形態のように、最小目盛線のうち目盛線３２ａ、３３ａ、３７ａ、３８ａの線幅を目盛線３１ａ、３４ａ、３６ａ、３９ａより太くし目盛数字５０ａなどを設ければ、最小目盛線の目盛数字５０ａの表示が少ないため最小目盛線の目盛が見やすく、また、それぞれの最小目盛線の目盛値の判読も容易に出来る。
【００５１】
この実施の形態では、目盛線３２ａ、３３ａ、３７ａ、３８ａの内側先端に、内側が黒く着色された円形の印４０を設けているが、この印は、円形に限らず三角形、四角形、二重丸などどのような形状の図形でも良い。また、印の内側を着色しないものとしても良い。また、この印を数字や文字としても良い。  この実施の形態では、左始まりの目盛としたが、右始まりとしても良い。（以下の実施の形態においても同様とする。）
本発明は以上のように構成されている。
【００５２】
（第２の実施の形態）
本発明の第２の実施の形態について、図２により説明する。この実施の形態は、次によりなされた物の長さの測定などを行うスケールの目盛である。
イ、第１の実施形態のイからホにより目盛本体１０に目盛線を形成する。
【００５３】
本発明の第１の実施の形態の目盛における図１の目盛線３２ｂ、３３ｂ、３７ｂ、３８ｂ、の目盛数字５０ｂを円形の線で囲むことが不要な場合は、図２のように目盛線３２ｂ、３３ｂ、３７ｂ、３８ｂの目盛数字５０ｂを円形の線で囲む表示を省略したこのような目盛をスケールに設ければ、４本ずつ形成される最小目盛線をいちいち数えなくても、それぞれの最小目盛線を直感的に判別出来るとともに、それぞれの最小目盛線の目盛値の判読が容易に出来るので、そのようにしても良い。
本発明は以上のように構成されている。
【００５４】
（第３の実施の形態）
本発明の第３の実施の形態は次によりなされた目盛で図３により説明する。
この第３の実施の形態は、図２の第２の実施の形態の目盛において、付番した仮番号の最下位の数が５となる目盛線３５ａを、目盛線３２ａ、３３ａ、３７ａ、３８ａと同じ線幅とし、目盛線３５ａの内側先端付近に本目盛値のｃｍ単位換算で小数点以下第一位の数である「５」の目盛数字５０ａを設けるものである。
【００５５】
このように、目盛線３５ａを目盛線３２ａ、３３ａ、３７ａ、３８ａと同じ線幅とするとともに、目盛線３５ａに目盛数字５０ａである「５」を設けたこのような目盛をスケールに設ければ、図２の第２の実施の形態に比べ目盛線３４ａ、３５ａ、３６ａの把握がしやすいため、目盛線３４ａ、３５ａ、３６ａの判別と目盛値の判読がより行いやすいので、そのようにしても良い。
【００５６】
また、図３のような目盛本体１０のそれぞれの目盛線に、図４のように目盛線の中間部分を消す切欠き４５を設けた目盛を透明な素材のスケールの目盛としても良い。
このようなスケールで、図４のように長さの測定対象物４１を切欠き４５に挟むとともに内側のそれぞれの目盛線の頂点に合わせるようにして、透明な素材を通して測定対象物４１を確認しながら測定をすれば、目盛線３２ａ、３３ａ、３７ａ、３８ａと目盛線３１ａ、３４ａ、３６ａ、３９ａの直感的な判別とそれぞれの目盛線の目盛値の判読が容易に出来るとともに、測定対象物４１の測定箇所とスケールの外形線とが重ならず測定が行いやすいのでそのようにしても良い。この場合であれば、長さが３ｃｍ９ｍｍであることが容易に判読出来る。  
【００５７】
また、図３のような目盛本体１０のそれぞれの目盛線に、図５のように中間部分を消す切欠き４５を設け、その切欠き４５に挟まれるようにして開口部２２を設ける。
次に、このような目盛本体１０の目盛をスケールに設けるとともに、スケールにも、目盛本体１０の開口部２２の位置に合わせ開口部を設ける。
このようなスケールで、目盛線３２ａ、３３ａ、３７ａ、３８ａと目盛線３１ａ、３４ａ、３６ａ、３９ａの表示方法が異なる両側の目盛線を目安にして開口部を利用して測定対象物の所要な長さの位置に印を付ける作業を行えば、測定対象物の正確な位置決めが容易に出来るのでそのようにしても良い。この場合、所要の両側の２本目盛線に挟まれた位置に印を付けるのでより印が付けやすいものとなる。
【００５８】
また、図６のように、図３の目盛のうち最小目盛線の目盛数字５０ａを設けないようにした目盛をスケールに設ければ、それぞれの最小目盛線を直感的に判別出来るとともに、それぞれの最小目盛線の目盛値の判読が容易で、表示がシンプルな目盛と出来るので、このような最小目盛線に目盛数字５０ａを設けない目盛としても良い。
本発明は以上のように構成されている。
【００５９】
（第４の実施の形態）
本発明の第４の実施の形態について、図７により説明する。この実施の形態は、次によりなされた目盛線の線幅を目盛精度などの関係で同一とする必要があるスケールの目盛である。
第４の実施の形態は、第３の実施の形態の図３の目盛において、目盛線３２ａ、３３ａ、３５ａ、３７ａ、３８ａ及び目盛値が０、１、２、３、４、５、６、７、８、９、１０ｃｍの目盛線の外縁先端部分の線幅を目盛線３２ａの線長の０．３倍の長さで、目盛線３１ａ、３４ａ、３６ａ、３９ａと同じ線幅としたもの。
【００６０】
このようにして、目盛線３２ａ、３３ａ、３７ａ、３８ａと目盛線３１ａ、３４ａ、３６ａ、３９ａの目盛線の表示方法を異なるものとする。
【００６１】
このような目盛をスケールに設ければ、第３の実施の形態のように目盛線３２ａ、３３ａ、３７ａ、３８ａの内側の線幅を、目盛線３１ａ、３４ａ、３６ａ、３９ａの線幅より太くしても、測定を行う目盛線の外縁先端部分は、目盛線３１ａ、３４ａ、３６ａ、３９ａと同じ線幅となるため、目盛精度を低下させることがないとともに、第３の実施の形態と同様に、４本ずつ形成される最小目盛線をいちいち数えなくても、それぞれの最小目盛線を直感的に判別出来るとともに、それぞれの最小目盛線の目盛値の判読が容易に出来る。
【００６２】
また、この実施の形態では、５ｍｍ、１５ｍｍなどの５ｍｍ毎の目盛線及び１ｃｍ、２ｃｍなどの１ｃｍ毎の目盛線及び０ｃｍ、５ｃｍなどの５ｃｍ毎の目盛線の線幅も、目盛線３１ａ、３４ａ、３６ａ、３９ａと同じ線幅としているので、全ての目盛線の外縁先端部分の線幅が同じとなり、見やすいとともに、全ての目盛線の目盛精度を揃えることが出来るので、そのようにしても良い。
【００６３】
以下の実施の形態においても、目盛精度などの関係で目盛線の外縁先端部分の線幅を同一にする必要がある場合は、このように目盛線の一部分の線幅が異なる目盛とすれば、目盛精度を低下させることなくそれぞれの最小目盛線を直感的に判別出来るとともに、それぞれの最小目盛線の目盛値の判読が容易に出来るので、そのようにしても良い。
本発明は以上のように構成されている。
【００６４】
（第５の実施の形態）
本発明の第５の実施の形態について、図８により説明する。この実施の形態は、次によりなされた全体が透明な素材の液体の体積を測定するメスシリンダーや計量カップなどの液量計や注射筒の目盛である。
イ、目盛本体１０に、次により目盛線を形成する。
まず、目盛値０ｍｌから目盛値５０ｍｌの範囲で、目盛値間隔２ｍｌ毎に、目盛線の線長が同じである目盛線を水平方向に形成する。なお目盛値は上側から下側方向に降順とする。
このうち、目盛値が０、１０、２０、３０、４０、５０ｍｌの１０ｍｌ毎の目盛線の線長を、右方向に長く前記２ｍｌ毎の目盛線の１．４倍の線長とする。
次に、前記１０ｍｌ毎の目盛線の右側先端付近に、目盛本体１０の上側から下側の方向に５０ｍｌから０ｍｌまで降順に本目盛値を示す目盛数字５０ｂを設ける。
【００６５】
ロ、目盛値が０ｍｌの目盛線を起点２０とする。
ハ、任意に定める目盛値間隔は２ｍｌとする。
二、起点２０から、任意に定める目盛値間隔である２ｍｌ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの右側先端付近に、それぞれの目盛線の目盛値を示す目盛数字５０ａを設ける。
【００６６】
このように、最小目盛線である目盛線３２ａ、３３ａ、３７ａ、３８ａには目盛数字５０ａを設け、同じく最小目盛線である目盛線３１ａ、３４ａ、３６ａ、３９ａには目盛数字５０ａを設けないことにより、目盛線３２ａ、３３ａ、３７ａ、３８ａと目盛線３１ａ、３４ａ、３６ａ、３９ａの表示方法が異なるものとする。
【００６７】
このような目盛線３２ａ、３３ａ、３７ａ、３８ａと目盛線３１ａ、３４ａ、３６ａ、３９ａの相違点のある目盛を液量計や注射筒に設ければ、４本ずつ形成される最小目盛線のうち目盛値が０の方向から数えて２番目の目盛線と３番目の目盛線に設けられた目盛数字５０ａの「４」、「６」、「１４」、「１６」などを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【００６８】
また、隣り合う目盛線３２ａと目盛線３３ａ、目盛線３７ａと目盛線３８ａに目盛数字５０ａを設けているので、「４」と「６」、「１４」と「１６」などの目盛数字５０ａの差から目量が、２ｍｌであることが容易に把握出来る。
この目量が把握出来ることで、目盛数字５０ａが設けられていない目盛線３１ａ、３４ａ、３６ａ、３９ａの目盛値も判読が行いやすい。
【００６９】
例えば、目盛線３４ａである８ｍｌの目盛線には目盛数字５０ａが設けられていないが、目盛数字５０ａが設けられた目盛線３３ａである６ｍｌに目量の２ｍｌを足すことで、８ｍｌの目盛値であることが容易に判読出来る。
【００７０】
また、この目盛線３２ａ、３３ａ、３７ａ、３８ａに目盛数字５０ａを設けたことで、前記のように目量を把握しなくても目盛線３１ａ、３４ａ、３６ａ、３９ａの目盛値の判読を容易にすることも出来る。
【００７１】
例えば、目盛線３４ａである８ｍｌの目盛線には目盛数字５０ａが設けられていないが、目盛数字５０ａが設けられた目盛線３３ａである６ｍｌと目盛数字が設けられた１０ｍｌの中間の目盛線であるので８ｍｌの目盛値であることが容易に判読出来る。
このようにすることで、目盛数字５０ａが設けられていない目盛線３１ａ、３４ａ、３６ａ、３９ａの目盛値の判読も行いやすい。
【００７２】
この実施の形態のように目量の数が１以外の目盛においては、４本ずつ形成される最小目盛線のうち目盛値が０となる方向から数えて何番目の最小目盛線かの数に目量を掛けて計算し目盛値を判読する必要があるが、このように最小目盛線である目盛線３２ａ、３３ａ、３７ａ、３８ａに目盛数字を設ければこのような手間を掛けることなく目盛値の判読が出来るので特に便利である。
【００７３】
また、この実施の形態においては、目盛線３２ａ、３３ａ、３７ａ、３８ａと目盛線３１ａ、３４ａ、３６ａ、３９ａの線長は同長としているが、目盛線３２ａ、３３ａ、３７ａ、３８ａの線長を目盛線３１ａ、３４ａ、３６ａ、３９ａの１．２倍の線長とすれば、それぞれの最小目盛線の判別と目盛値の判読が更に行いやすいのでそのようにしても良い。（図示省略）
【００７４】
また、図８の目盛においては、目盛数字（５０ａ、５０ｂ）は上側から下側の方向に降順となっているが、この目盛を注射筒の目盛とする場合には、注射筒本体に、注射針が下に位置するように図８の目盛を設け、更に、図８の目盛の目盛数字（５０ａ、５０ｂ）を上側から下側の方向に昇順とした目盛も注射針が上に位置するように注射筒本体に併せて設ければ、薬液等の充填の際に、そのいずれかの目盛を見れば、注射針を上に向けた充填の時も、注射針を下に向けた充填の時も目盛数字が逆にならず充填が行いやすいので、注射筒にこのような２種類の目盛を設けても良い。
また、このいずれかの目盛だけを注射筒に設けても良い。
【００７５】
また、図９のように、図８のそれぞれの目盛線の同じ位置に、目盛線３１ａの線長の０．３倍の幅で目盛線の中間部分を消す切欠き４５を設けても良い。
このように目盛線に切欠き４５を設け、その切欠き４５に現れる液面により測定などを行うことで、液面が目盛線に重ならず、切欠き４５の両側の２本の目盛線で液面を挟むようにして目盛値の判読を行うので、通常の１本の目盛線で測定などを行うよりも、液面の視認性が高いとともに、目盛値の判読が行いやすいので、このような目盛としても良い。
【００７６】
なお、注射筒に図９の目盛を設けた場合においては、切欠き４５から薬液等の液面とともに、注射筒の可動式の押子の薬液等側の端部も視認しやすいため、的確に必要な量の薬液等を注射筒に充填出来る。この場合、図９の目盛の目盛数字（５０ａ、５０ｂ）を上から下に昇順となるようにした目盛を、注射針が上に位置するように注射筒本体に設ければ、注射針を上に向けて薬液などを充填しても目盛数字（５０ａ、５０ｂ）が逆とならないのでそのようにしても良い。
【００７７】
また、図８や図９の目盛は、目盛線の間隔が等間隔となっているが、容器の形状に合わせて目盛線の間隔を変更すれば、容器の内径が下に行くに従い小さくなるメートルグラスの目盛としても利用出来、前記と同様な効果を得るのでそのような目盛としても良い。（図示省略）
【００７８】
また、液量計や注射筒など目盛値が０の目盛線を形成しない場合があるが、その場合、仮番号の付番を目盛値が０の想定の目盛線を含めて行うものとする。
（以下の実施の形態においても同じ）
【００７９】
このようにして想定の目盛線を含めて仮番号を付番し、その仮番号の最下位の数が２、３、７、８となる目盛線３２ａ、３３ａ、３７ａ、３８ａと仮番号の最下位の数が１、４、６、９となる目盛線３１ａ、３４ａ、３６ａ、３９ａの表示方法が異なるものとすれば、目盛値が０の目盛線を形成しない場合においても、それぞれの最小目盛線を直感的に判別出来るとともに、それぞれの最小目盛線の目盛値の判読が容易に出来る。（図示省略）
本発明は以上のように構成されている。
【００８０】
（第６の実施の形態）
本発明の第６の実施の形態について、図１０により説明する。この実施の形態は、次によりなされた物の長さの測定などを行うスケールの目盛である。
イ、第１の実施形態のイにより、目盛本体１０に目盛線を形成する。
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの内側先端に、三角形の印４０を設ける。
【００８１】
このように、最小目盛線である目盛線３２ａ、３３ａ、３７ａ、３８ａには三角形の印４０を設け、同じく最小目盛線で付番された仮番号の最下位の数が１、４、６、９となる目盛線３１ａ、３４ａ、３６ａ、３９ａには三角形の印４０を設けないことにより、目盛線３２ａ、３３ａ、３７ａ、３８ａと目盛線３１ａ、３４ａ、３６ａ、３９ａの目盛線の表示方法が異なるものとする。
【００８２】
このような目盛線３２ａ、３３ａ、３７ａ、３８ａと目盛線３１ａ、３４ａ、３６ａ、３９ａの相違点のある目盛をスケールに設ければ、４本ずつ形成される最小目盛線が、目盛値が０の方向から数えて２番目と３番目の目盛線の内側先端に三角形の印４０を設けられ、１番目と４番目の目盛線には三角形の印４０設けず、この２番目と３番目の目盛線の目盛値はｃｍ単位に換算して小数点以下第一位の数が２、３、７、８となることを把握し測定などを行うことで、４本ずつ形成される最小目盛線をいちいち数えなくても、それぞれの最小目盛線を直感的に判別出来るとともに、それぞれの最小目盛線の目盛値の判読が容易に出来る。
【００８３】
このような目盛により、最小目盛線の直感的な判別と目盛値の判読が容易に出来るとともに、目盛線３２ａ、３３ａ、３７ａ、３８ａに三角形の印４０を設けるのみで、全ての最小目盛線の線幅が同一であるため目盛精度への影響がなく、線長が同一であるため表示がシンプルな目盛とすることが出来る。
本発明は以上のように構成されている。
【００８４】
（第７の実施の形態）
本発明の第７の実施の形態について、図１１により説明する。この実施の形態は、次によりなされた物の長さの測定などを行うスケールの目盛である。
イ、第１の実施形態のイにより、目盛本体１０に目盛線を形成する。
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線幅を、仮番号の最下位の数が１、４、６、９となる目盛線３１ａ、３４ａ、３６ａ、３９ａの２．５倍の線幅とする。
【００８５】
このように、最小目盛線である目盛線３２ａ、３３ａ、３７ａ、３８ａの線幅を、同じく最小目盛線である目盛線３１ａ、３４ａ、３６ａ、３９ａの線幅より太くすることにより、目盛線３２ａ、３３ａ、３７ａ、３８ａと目盛線３１ａ、３４ａ、３６ａ、３９ａの表示方法が異なるものとする。
【００８６】
このような目盛線３２ａ、３３ａ、３７ａ、３８ａと目盛線３１ａ、３４ａ、３６ａ、３９ａの相違点のある目盛をスケールに設ければ、４本ずつ形成される最小目盛線が、目盛値が０の方向から数えて２番目の目盛線と３番目の目盛線の線幅が１番目と４番目の目盛線の線幅に比べて太く、この２番目と３番目の目盛線の目盛値はｃｍ単位に換算して小数点以下第一位の数が２、３、７、８となることを把握し測定などを行うことで、４本ずつ形成される最小目盛線をいちいち数えなくても、それぞれの最小目盛線を直感的に判別出来るとともに、それぞれの最小目盛線の目盛値の判読が容易に出来る。
【００８７】
このような目盛により、最小目盛線の直感的な判別と目盛値の判読が容易に出来るとともに、全ての最小目盛線の線長が同長で線幅が異なるのみであるため、表示がシンプルな目盛とすることが出来る。
【００８８】
なお、目盛線３２ａ、３３ａ、３７ａ、３８ａの線長を、目盛線３１ａ、３４ａ、３６ａ、３９ａの線長より長くすれば、それぞれの最小目盛線の判別と目盛値の判読が更に行いやすいのでそのようにしても良い。（図示省略）
【００８９】
また、目盛線３２ａ、３３ａ、３７ａ、３８ａの線幅を外縁先端部から反対端部に向かうに従って増大させるなどして、目盛線３１ａ、３４ａ、３６ａ、３９ａと異なる形状として目盛線の表示方法が異なるものとしても、それぞれの最小目盛線を直感的に判別出来るとともに、それぞれの最小目盛線の目盛値の判読が容易に出来るのでそのようにしても良い。（図示省略）
本発明は以上のように構成されている。
【００９０】
（第８の実施の形態）
本発明の第８の実施の形態について、図１２により説明する。この実施の形態は、物の長さの測定などを行うスケールの目盛である。
イ、第１の実施形態のイにより、目盛本体１０に目盛線を形成する。
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、その仮番号の最下位の数が１、４、６、９となる目盛線３１ａ、３４ａ、３６ａ、３９ａの線長と線幅を、仮番号の最下位の数が２、３、７、８となる目盛線３２ａ、３３ａ、３７ａ、３８ａの線長の１．２倍、線幅は１ｃｍ毎の目盛線と同じくし、目盛線３１ａ、３４ａ、３６ａ、３９ａの内側先端に本目盛線の線幅の２倍の直径の内側が黒く着色された円形の印４０を設ける。
【００９１】
このように、最小目盛線である目盛線３１ａ、３４ａ、３６ａ、３９ａを、同じく最小目盛線である目盛線３２ａ、３３ａ、３７ａ、３８ａより線長を長く、線幅を太くし、目盛線３１ａ、３４ａ、３６ａ、３９ａの内側先端に印４０を設けることにより、目盛線３１ａ、３４ａ、３６ａ、３９ａと目盛線３２ａ、３３ａ、３７ａ、３８の表示方法が異なるものとする。
【００９２】
このような目盛線３１ａ、３４ａ、３６ａ、３９ａと目盛線３２ａ、３３ａ、３７ａ、３８ａの相違点のある目盛をスケールに設ければ、４本ずつ形成される最小目盛線が、目盛値が０の方向から数えて１番目の目盛線と４番目の目盛線の線幅が２番目と３番目の目盛線の線幅に比べて太くなどされていて、この１番目と４番目の目盛線の目盛値はｃｍ単位に換算して小数点以下第一位の数が１、４、６、９となることを把握し測定などを行うことで、４本ずつ形成される最小目盛線をいちいち数えなくても、それぞれの最小目盛線を直感的に判別出来るとともに、それぞれの最小目盛線の目盛値の判読が容易に出来る。
【００９３】
このような目盛により、最小目盛線の目盛値の判読が容易に出来るとともに、５ｍｍ毎や１ｃｍ毎の目盛線と隣り合う目盛線３１ａ、３４ａ、３６ａ、３９ａの線幅を太くなどしているため、５ｍｍ毎や１ｃｍ毎の目盛線付近の目盛値の判読が特に行いやすい目盛となる。
本発明は以上のように構成されている。
【００９４】
（第９の実施の形態）
本発明の第９の実施の形態について、図１３により説明する。この実施の形態は、目盛値が０の目盛線を中心にして左右にマイナス側とプラス側の両方の目盛線を形成した物の長さの測定などを行うスケールの目盛である。
イ、目盛本体１０の一側縁に、次により目盛線を形成する。
目盛本体１０に、目盛値０ｃｍから目盛値間隔が１ｍｍ毎に、目盛線の線長が同長の目盛線をマイナス側を左側に、プラス側を右側に目盛値５ｃｍの範囲で形成する。
このうち、目盛値がマイナス５、１５、２５、３５、４５ｍｍ、プラス５、１５、２５、３５、４５ｍｍとなる５ｍｍ毎の目盛線の線長を前記１ｍｍ毎の目盛線の１．５倍の線長とする。
【００９５】
次に、目盛値がマイナス１、２、３、４ｃｍ、プラス１、２、３、４ｃｍとなる１ｃｍ毎の目盛線の線長と線幅を、前記５ｍｍ毎の目盛線の線長の１．５倍、線幅は２．５倍とし、本１ｃｍ毎の目盛線内側先端付近にそれぞれの目盛線の目盛値を示す目盛数字５０ｂを設ける。
次に、目盛値がマイナス５ｃｍ、０ｃｍ、プラス５ｃｍとなる５ｃｍ毎の目盛線の線長と線幅を、前記１ｃｍ毎の目盛線の線長の１．２倍、線幅は同じくし、本５ｃｍ毎の目盛線内側先端付近にそれぞれの目盛線の目盛値を示す目盛数字５０ｂを設ける。
【００９６】
ロ、目盛値が０ｃｍの目盛線を起点２０とする。
ハ、任意に定める目盛値間隔は１ｍｍとする。
二、起点２０から、目盛値がマイナス側及びプラス側の両方向に、任意に定める目盛値間隔である１ｍｍ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線長と線幅を、仮番号の最下位の数が１、４、６、９となる目盛線３１ａ、３４ａ、３６ａ、３９ａの線長の１．２倍、線幅は前記１ｃｍ毎の目盛線と同じ線幅とし、目盛線３２ａ、３３ａ、３７ａ、３８ａの内側先端に本目盛線の線幅の２倍の直径の内側が黒く着色された円形の印４０とそれぞれの目盛線の目盛値のｃｍ単位換算で小数点以下第一位の数である「２」、「３」、「７」、「８」の目盛数字５０ａを設ける。
【００９７】
このように、最小目盛線である目盛線３２ａ、３３ａ、３７ａ、３８ａの線長と線幅を、同じく最小目盛線である目盛線３１ａ、３４ａ、３６ａ、３９ａより線長を長く、線幅を太くし、目盛線３２ａ、３３ａ、３７ａ、３８ａの内側先端には印４０及び目盛数字５０ａを設けることにより、目盛線３２ａ、３３ａ、３７ａ、３８ａと目盛線３１ａ、３４ａ、３６ａ、３９ａの表示方法が異なるものとする。
【００９８】
このような目盛線３２ａ、３３ａ、３７ａ、３８ａと目盛線３１ａ、３４ａ、３６ａ、３９ａの相違点のある目盛をスケールに設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第一位の数が２、３、７、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
このような目盛により、目盛値がマイナス側からプラス側に目盛値が連続する目盛においても最小目盛線の目盛値の判読が容易に出来る。
本発明は以上のように構成されている。
【００９９】
（第１０の実施の形態）
本発明の第１０の実施の形態について、図１４により説明する。この実施の形態は、次によりなされた目盛値が０の目盛線の左右方向にプラスの目盛値の目盛線を形成した物の長さの測定などを行うスケールの目盛である。
イ、目盛本体１０の一側縁に、次により目盛線を形成する。
目盛本体１０に、目盛値０ｃｍから目盛値５ｃｍの範囲で、目盛値間隔が１ｍｍ毎に、目盛線が同長の目盛線を目盛値０ｃｍの目盛線から左右両方向に目盛線を形成する。
このうち、両方向の目盛値が５、１５、２５、３５、４５ｍｍとなる５ｍｍ毎の目盛線の線長を前記１ｍｍ毎の目盛線の１．５倍の線長とする。
【０１００】
次に、両方向の目盛値が１、２、３、４ｃｍとなる１ｃｍ毎の目盛線の線長と線幅を、前記５ｍｍ毎の目盛線の線長の１．５倍、線幅は２．５倍とし、本１ｃｍ毎の目盛線の内側先端付近にそれぞれの目盛線の目盛値を示す目盛数字５０ｂを設ける。
次に、両方向の目盛値が、０ｃｍ、５ｃｍとなる５ｃｍ毎の目盛線の線長と線幅を、前記１ｃｍ毎の目盛線の線長の１．２倍、線幅は同じくし、本５ｃｍ毎の目盛線の内側先端付近にそれぞれの目盛線の目盛値を示す目盛数字５０ｂを設ける。
【０１０１】
ロ、目盛値が０ｃｍの目盛線を起点２０とする。
ハ、任意に定める目盛値間隔は１ｍｍとする。
二、起点２０から、任意に定める目盛値間隔である１ｍｍ毎の両方向のそれぞれの目盛線に、順に、０から１ずつ昇順に仮番号を付番する。
ホ、その仮番号の最下位の数が２、３、７、８となる目盛線３２ａ、３３ａ、３７ａ、３８ａを、仮番号の最下位の数が１、４、６、９となる目盛線３１ａ、３４ａ、３６ａ、３９ａの線長は１．２倍、線幅は前記１ｃｍ毎の目盛線と同じくし、目盛線３２ａ、３３ａ、３７ａ、３８ａの内側先端に四角形の印４０とそれぞれの目盛線の目盛値のｃｍ単位換算で小数点以下第一位の数である「２」、「３」、「７」、「８」の目盛数字５０ａを設ける。
【０１０２】
このように、最小目盛線である目盛線３２ａ、３３ａ、３７ａ、３８ａの線長と線幅を、同じく最小目盛線である目盛線３１ａ、３４ａ、３６ａ、３９ａより線長を長く、線幅を太くし、目盛線３２ａ、３３ａ、３７ａ、３８ａの内側先端に印４０や目盛数字５０ａを設けることにより、目盛線３２ａ、３３ａ、３７ａ、３８ａと目盛線３１ａ、３４ａ、３６ａ、３９ａの表示方法が異なるものとする。
【０１０３】
このような目盛線３２ａ、３３ａ、３７ａ、３８ａと目盛線３１ａ、３４ａ、３６ａ、３９ａの相違点のある目盛をスケールに設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第一位の数が２、３、７、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
このような目盛により、目盛値０の目盛線を起点に左右の両側にプラス側の目盛値の目盛線を形成した目盛においても、最小目盛線の目盛値の判読が容易に出来る。
本発明は以上のように構成されている。
【０１０４】
（第１１の実施の形態）
本発明の第１１の実施の形態について、図１５により説明する。この実施の形態は、次によりなされた目盛本体の両側に目盛線を形成した巻尺の目盛である。
イ、  目盛本体１０に、目盛値０ｃｍから目盛値１０ｃｍの範囲で、目盛値間隔１ｍｍ毎に目盛線を両側縁に形成する。なお、目盛値は左側端の目盛線が目盛値０となるようにする。
このうち、目盛値が５、１５、２５、３５、４５、５５、６５、７５、８５、９５ｍｍとなる５ｍｍ毎の目盛線の線長を、前記１ｍｍ毎の目盛線の１．５倍の線長とする。
次に、目盛値が１、２、３、４、６、７、８、９ｃｍとなる１ｃｍ毎の目盛線の線長と線幅を、前記５ｍｍ毎の目盛線の線長の１．５倍、線幅は２．５倍とし、上側の目盛線と下側の目盛線の内側先端付近にそれぞれの目盛線の目盛値を示す目盛数字５０ｂを設ける。
【０１０５】
次に、目盛値が０ｃｍ、５ｃｍ、１０ｃｍとなる５ｃｍ毎の目盛線の線長と線幅を、前記１ｃｍ毎の目盛線の線長の１．２倍、線幅は同じくし、両側縁の目盛線の内側先端付近にそれぞれの目盛線の目盛値を示す目盛数字５０ｂを設ける。
【０１０６】
ロ、目盛値が０ｃｍの目盛線を起点２０とする。
ハ、任意に定める目盛値間隔は１ｍｍとする。
二、起点２０から、両側縁の目盛線の任意に定める目盛値間隔である１ｍｍ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線長と線幅を、仮番号の最下位の数が１、４、６、９となる目盛線３１ａ、３４ａ、３６ａ、３９ａの線長の１．２倍、線幅は前記１ｃｍ毎の目盛線と同じとし、目盛線３２ａ、３３ａ、３７ａ、３８ａの内側先端に本目盛線の線幅の２倍の直径の内側が黒く着色された円形の印４０とそれぞれの目盛線の目盛値のｃｍ単位換算で小数点以下第一位の数である「２」、「３」、「７」、「８」の目盛数字５０ａを設ける。
【０１０７】
へ、次に、任意に定める目盛値間隔を１０ｍｍとして再度仮番号の付番を行う。
ト、起点２０から、任意に定める目盛値間隔１０ｍｍ毎のそれぞれの目盛線に、順に、０から１ずつ昇順に仮番号を付番する。
チ、その仮番号の最下位の数が、３、８となる目盛線３３ｂ、３８ｂの目盛数字５０ｂを円形の線で囲む。
【０１０８】
このように、ｃｍ毎の目盛線３３ｂ、３８ｂの目盛線の目盛数字５０ｂを円形の線で囲み、仮番号の最下位の数が、１、２、４、６、７、９となる目盛線３１ｂ、３２ｂ、３４ｂ、３６ｂ、３７ｂ、３９ｂの目盛数字５０ｂは円形の線で囲まないことにより、目盛線３３ｂ、３８ｂと目盛線３１ｂ、３２ｂ、３４ｂ、３６ｂ、３７ｂ、３９ｂの表示方法が異なるものとする。
【０１０９】
このようにして、目盛線３３ｂ、３８ｂの目盛数字５０ｂである「３」、「８」を円形の線で囲むことで、この目盛線３３ｂ、３８ｂのそれぞれの目盛線を直感的に判別出来る。
また、この目盛線３３ｂ、３８ｂのそれぞれの目盛線が直感的に判別出来ることで、近傍の目盛線３１ｂ、３２ｂ、３４ｂ、３６ｂ、３７ｂ、３９ｂのそれぞれの目盛線も直感的に判別出来る。
以上のことから、このような目盛を巻尺に設ければ、目盛線３１ｂ、３２ｂ、３３ｂ、３４ｂ、３６ｂ、３７ｂ、３８ｂ、３９ｂのそれぞれの目盛線を直感的に判別出来るので測定などが行いやすい。
【０１１０】
また、円形の線で囲まれた「３」、「８」の目盛数字５０ｂが目安となりｃｍ単位の目盛線の全体的な目盛位置の把握が行いやすい。
【０１１１】
また、最小目盛線である目盛線３２ａ、３３ａ、３７ａ、３８ａの線長と線幅を、同じく最小目盛線である目盛線３１ａ、３４ａ、３６ａ、３９ａより線長を長く、線幅は太くし、目盛線３２ａ、３３ａ、３７ａ、３８ａの内側先端に印４０及び目盛数字５０ａを設けることにより、目盛線３２ａ、３３ａ、３７ａ、３８ａと目盛線３１ａ、３４ａ、３６ａ、３９ａの表示方法が異なるものとする。
【０１１２】
このような目盛線３２ａ、３３ａ、３７ａ、３８ａと目盛線３１ａ、３４ａ、３６ａ、３９ａの相違点のある目盛を巻尺に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第一位の数が２、３、７、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１１３】
このような目盛により、目盛本体の両側縁に目盛線が形成された目盛において、ｃｍ単位の目盛線３１ｂ、３２ｂ、３３ｂ、３４ｂ、３６ｂ、３７ｂ、３８ｂ、３９ｂが直感的に判別出来るため測定などが行いやすく、最小目盛線の目盛値の判読が容易に出来る。
なお、この実施の形態は巻尺の目盛であるが、説明の便宜上、０〜１０ｃｍの短い目盛により説明している。
本発明は以上のように構成されている。
【０１１４】
（第１２の実施の形態）
本発明の第１２の実施の形態について、図１６により説明する。
この実施の形態は、次によりなされた特許文献１のように、最小目盛線のそれぞれの線長が漸次異なる物の長さの測定などを行うスケールの目盛である。
イ、第１の実施形態のイにより、目盛本体１０に目盛線を形成する。
【０１１５】
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、その仮番号の最下位の数が１、２、３、４となる目盛線３１ａ、３２ａ、３３ａ、３４ａの線長を、仮番号の最下位の数が５の目盛線３５ａの線長を超えない範囲で、漸次短くなるようにする。
ヘ、仮番号の最下位の数が６、７、８、９となる目盛線３６ａ、３７ａ、３８ａ、３９ａの線長を、目盛線３５ａの線長を超えない範囲で、漸次長くなるようにする。
ト、目盛線３２ａ、３３ａ、３７ａ、３８ａを、１ｃｍ毎の目盛線と同じ線幅とし、目盛線３２ａ、３３ａ、３７ａ、３８ａの内側先端に本目盛線の線幅の２倍の直径の内側を黒色に着色した円形の印４０を設ける。
【０１１６】
このように、最小目盛線のそれぞれの長さが漸次異なる目盛においては、目盛線３２ａ、３３ａ、３７ａ、３８ａの線幅を、目盛線３１ａ、３４ａ、３６ａ、３９ａの線幅より太くし、目盛線３２ａ、３３ａ、３７ａ、３８ａの内側先端に印４０を設けることにより、目盛線３２ａ、３３ａ、３７ａ、３８ａと目盛線３１ａ、３４ａ、３６ａ、３９ａの表示方法が異なるものとする。
【０１１７】
このような目盛線３２ａ、３３ａ、３７ａ、３８ａと目盛線３１ａ、３４ａ、３６ａ、３９ａの相違点のある目盛をスケールに設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第一位の数が２、３、７、８となることを把握し測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１１８】
このような目盛により、最小目盛線の目盛値の判読が容易に出来るとともに、最小目盛線の線長が、５ｍｍ毎の目盛線を中心に谷状となっているため、特に５ｍｍ毎の目盛線付近の目盛値が判読しやすい。
【０１１９】
また、目盛線３２ａ、３３ａ、３７ａ、３８ａの内側先端付近に、それぞれの目盛線の目盛値のｃｍ単位換算で小数点以下第一位の数である「２」、「３」、「７」、「８」の目盛数字を設ければ、更に最小目盛線の目盛値の判読が容易に出来るので、そのようにしても良い。（図示省略）
本発明は以上のように構成されている。
【０１２０】
（第１３の実施の形態）
本発明の第１３の実施の形態について、図１７により説明する。この実施の形態は、次によりなされた旋盤の送り目盛など設定部の目盛である。
イ、目盛本体１０の一側縁に、次により目盛線を形成する。
目盛本体１０に、目盛値０ｃｍから目盛値１．０ｃｍの範囲で、目盛値間隔０．０２ｃｍ毎に、目盛線の線長が同じ目盛線を形成する。なお、目盛値は左側から右方向に昇順とするものとする。
【０１２１】
次に、目盛値が、０．１、０．２、０．３、０．４、０．６、０．７、０．８、０．９ｃｍとなる０．１ｃｍ毎の目盛線の線長と線幅を、前記０．０２ｃｍ毎の目盛線の線長の２．５倍、線幅も２．５倍とし、本０．１ｃｍ毎の目盛線の内側先端付近にそれぞれの目盛線の目盛値を示す目盛数字５０ｂを設ける。
次に、目盛値が０、０．５、１．０ｃｍとなる０．５ｃｍ毎の目盛線の線長と線幅を、前記０．１ｃｍ毎の目盛線の線長の１．２倍、線幅は同じくし、本０．５ｃｍ毎の目盛線内側先端付近に本目盛値を示す目盛数字５０ｂを設ける。
【０１２２】
ロ、目盛値が０ｃｍの目盛線を起点２０とする。
ハ、任意に定める目盛値間隔は０．０２ｃｍとする。
二、起点２０から、任意に定める目盛値間隔である０．０２ｃｍ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線長と線幅を、仮番号の最下位の数が１、４、６、９となる目盛線３１ａ、３４ａ、３６ａ、３９ａの線長の１．２倍、線幅は前記０．１ｃｍ毎の目盛線と同じ線幅とし、目盛線３２ａ、３３ａ、３７ａ、３８ａの内側先端に本目盛線の線幅の２倍の直径の内側が黒色に着色された円形の印４０とそれぞれの目盛線の目盛値のｃｍ単位換算で小数点以下第二位の数である「４」、「６」の目盛数字５０ａを設ける。
【０１２３】
このように、最小目盛線である目盛線３２ａ、３３ａ、３７ａ、３８ａを、同じく最小目盛線である目盛線３１ａ、３４ａ、３６ａ、３９ａより線長を長く、線幅を太くし、目盛線３２ａ、３３ａ、３７ａ、３８ａの内側先端に印４０及び目盛数字５０ａを設けることにより、目盛線３２ａ、３３ａ、３７ａ、３８ａと目盛線３１ａ、３４ａ、３６ａ、３９ａの表示方法が異なるものとする。
【０１２４】
このような目盛線３２ａ、３３ａ、３７ａ、３８ａと目盛線３１ａ、３４ａ、３６ａ、３９ａの相違点のある目盛を旋盤の送り目盛など設定部に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第二位の数が４、６となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１２５】
また、この実施の形態においては、目盛線３２ａ、３３ａ、３７ａ、３８ａに目盛数字５０ａである「４」、「６」を設けたことで、この目盛数字５０ａを設けない場合に比べ目盛線３２ａ、３３ａ、３７ａ、３８ａの目盛値の判読が行いやすい。
また、この隣り合う目盛線である目盛線３２ａと３３ａ、目盛線３７ａと３８ａのそれぞれの目盛線に０．０４ｃｍと０．０６ｃｍを示す「４」、「６」の目盛数字５０ａを設けたことで、目量が０．０２ｃｍであることが簡単に把握出来る。
【０１２６】
このように目量が、０．０２ｃｍであることが把握出来ることにより、目盛線３２ａ、３３ａ、３７ａ、３８ａと隣り合う目盛数字５０ａのない目盛線３１ａ、３４ａ、３６ａ、３９ａも、目盛線３２ａ、３３ａ、３７ａ、３８ａの目盛数字５０ａに、目量の０．０２ｃｍを足したり、引いたりすることにより目盛線３１ａ、３４ａ、３６ａ、３９ａの目盛値も目盛数字５０ａを設けない場合に比べ判読が行いやすい。
このような目盛を、旋盤の送り目盛など設定部の目盛とすれば、目盛設定を正確かつ迅速に行うことが出来る。
本発明は以上のように構成されている。
【０１２７】
（第１４の実施の形態）
本発明の第１４の実施の形態について、図１８により説明する。
この実施の形態は、次によりなされた圧力計の目盛である。
イ、円形の目盛本体１０にダイヤル状に、次により目盛線を形成する。
まず、目盛本体１０の中心から目盛本体１０の半径の０．６倍の地点から外側に向けて放射線状に、目盛値０ＭＰａから目盛値０．６ＭＰａの範囲で、目盛値間隔０．０１ＭＰａ毎に目盛本体１０の半径の０．１２倍の線長の目盛線を形成する。
なお、目盛値は時計回りに昇順とする。
次に、目盛値が０、０．０５、０．１０、０．１５等の０．０５ＭＰａ毎のそれぞれの目盛線の線長と線幅を、外側方向に前記０．０１ＭＰａ毎の目盛線の線長の２倍、線幅は２．５倍とし、本０．０５ＭＰａ毎の目盛線外側先端付近にそれぞれの目盛線の目盛値を示す目盛数字５０ｂを設ける。
【０１２８】
ロ、目盛値が０ＭＰａの目盛線を起点２０とする。
ハ、任意に定める目盛値間隔は０．０１ＭＰａとする。
二、起点２０から、任意に定める目盛値間隔である０．０１ＭＰａ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線長と線幅を、外側方向に長く仮番号の最下位の数が１、４、６、９となる目盛線３１ａ、３４ａ、３６ａ、３９ａの線長の１．５倍、線幅は前記０．０５ＭＰａ毎の目盛線と同じとし、目盛線３２ａ、３３ａ、３７ａ、３８ａの外側先端に本目盛線の線幅の２倍の直径の内側が黒く着色された円形の印４０を設ける。
【０１２９】
へ、次に、任意に定める目盛値間隔を０．０５ＭＰａとして再度仮番号の付番を行う。
ト、起点２０から、任意に定める目盛値間隔０．０５ＭＰａ毎のそれぞれの目盛線に、順に、０から１ずつ昇順に仮番号を付番する。
チ、その仮番号の最下位の数が、２、３、７、８となる目盛線３２ｂ、３３ｂ、３７ｂ、３８ｂの目盛数字５０ｂを四角形の線で囲む。
【０１３０】
このように、０．０５ＭＰａ毎の目盛線３２ｂ、３３ｂ、３７ｂ、３８ｂの目盛線の目盛数字５０ｂを四角形の線で囲み、目盛線３１ｂ、３４ｂ、３６ｂ、３９ｂの目盛数字５０ｂは四角形の線で囲まないことにより、目盛線３２ｂ、３３ｂ、３７ｂ、３８ｂと目盛線３１ｂ、３４ｂ、３６ｂ、３９ｂの表示方法が異なるものとする。
【０１３１】
このようにして、目盛線３２ｂ、３３ｂ、３７ｂ、３８ｂの目盛数字５０ｂである「０．１０」、「０．１５」、「０．３５」、「０．４０」を四角形の線で囲むことで、この目盛線３２ｂ、３３ｂ、３７ｂ、３８ｂのそれぞれの目盛線を直感的に判別出来る。
また、この目盛線３２ｂ、３３ｂ、３７ｂ、３８ｂのそれぞれの目盛線が直感的に判別出来ることで、隣り合う目盛線３１ｂ、３４ｂ、３６ｂ、３９ｂのそれぞれの目盛線も直感的に判別出来る。
以上のことから、このような目盛を圧力計に設ければ、目盛線３１ｂ、３２ｂ、３３ｂ、３４ｂ、３６ｂ、３７ｂ、３８ｂ、３９ｂのそれぞれの目盛線を直感的に判別出来るので測定などが行いやすい。
【０１３２】
また、０．０５ＭＰａ単位で隣り合う「０．１０」、「０．１５」などの目盛数字５０ｂを四角形の線で囲むことで、この「０．１０」、「０．１５」などの目盛数字５０ｂの位置を把握しやすい。
【０１３３】
また、この目盛線３２ｂ、３３ｂの「０．１０」、「０．１５」の目盛数字５０ｂは、目盛線３１ｂ、３２ｂ、３３ｂ、３４ｂの目盛数字５０ｂである「０．０５」、「０．１０」、「０．１５」、「０．２０」の中央に位置するとともに、目盛線３７ｂ、３８ｂの「０．３５」、「０．４０」の目盛数字５０ｂも、目盛線３６ｂ、３７ｂ、３８ｂ、３９ｂの目盛数字５０ｂである「０．３０」、「０．３５」、「０．４０」、「０．４５」の中央に位置しているため、「０．１０」、「０．１５」などの目盛数字５０ｂの位置を把握しやすい。
【０１３４】
また、この四角形の線で囲まれた「０．１０」、「０．１５」、「０．３５」、「０．４０」の目盛数字５０ｂが目安となり０．０５ＭＰａ単位の目盛線の全体的な目盛位置の把握が行いやすい。
【０１３５】
また、最小目盛線においても、最小目盛線である目盛線３２ａ、３３ａ、３７ａ、３８ａの線長と線幅を、同じく最小目盛線である目盛線３１ａ、３４ａ、３６ａ、３９ａより線長を長く、線幅を太くし、目盛線３２ａ、３３ａ、３７ａ、３８ａの外側先端に印４０を設けることで目盛線３２ａ、３３ａ、３７ａ、３８ａと目盛線３１ａ、３４ａ、３６ａ、３９ａの表示方法が異なるものとする。
【０１３６】
このような目盛線３２ａ、３３ａ、３７ａ、３８ａと目盛線３１ａ、３４ａ、３６ａ、３９ａの相違点のある目盛を圧力計に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はＭＰａ単位に換算して小数点以下第二位の数が２、３、７、８となることを把握し測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１３７】
また、この実施の形態においては、目盛線の外側に目盛数字５０ｂを設けたことで、圧力計の指針が、目盛本体１０の中心から目盛線３１ａ、３４ａ、３６ａ、３９ａの目盛線が形成された範囲内を移動する構造とすれば、指針と目盛数字５０ｂが重ならないため目盛値の判読が行いやすい。
また、目盛線３２ａ、３３ａ、３７ａ、３８ａに目盛数字を設ければ、更に目盛値の判読が行いやすいので、そのようにしても良い。（図示省略）
【０１３８】
また、本発明によるダイヤル状に形成されたそれぞれの目盛線の線幅は、目盛線を見やすくするため、目盛線の最も内側の中心から隣り合う目盛線の最も内側の中心との間隔の４分の１以内の線幅とすることが望ましい。（以下の実施の形態におけるダイヤル状の目盛についても同様とする。）
本発明は以上のように構成されている。
【０１３９】
（第１５の実施の形態）
本発明の第１５の実施の形態について、図１９により説明する。この実施の形態は、次によりなされた１ｍｍ毎の最小目盛線の中間に、最小目盛線より線長が短い０．５ｍｍ毎の補助目盛線４２が形成された物の長さの測定などを行うスケールの目盛である。
イ、目盛本体１０の一側縁に、次により目盛線を左側から右側方向に目盛値が昇順となるように形成する。
まず、目盛値０ｃｍから目盛値５ｃｍの範囲で、目盛値間隔０．５ｍｍ毎に、目盛線の線長が同じである目盛線を形成する。
このうち、目盛値が１、２、３、４、６、７、８、９ｍｍ等の１ｍｍ毎の目盛線の線長を前記０．５ｍｍ毎の目盛線の線長の１．８倍とする。
次に、目盛値が５、１５、２５、３５、４５ｍｍとなる５ｍｍ毎の目盛線の線長を、前記１ｍｍ毎の目盛線の線長の１．２倍とする。
【０１４０】
次に、目盛値が１、２、３、４ｃｍとなる１ｃｍ毎の目盛線の線長と線幅を、上記５ｍｍ毎の目盛線の線長の１．８倍、線幅は２．５倍とし、本１ｃｍ毎の目盛線の内側先端付近にそれぞれの目盛線の目盛値を示す目盛数字５０ｂを設ける。
次に、目盛値が０、５ｃｍとなる５ｃｍ毎の目盛線の線長と線幅を、前記１ｃｍ毎の目盛線の線長の１．２倍、線幅は同じくし、本５ｃｍ毎の目盛線の内側先端付近にそれぞれの目盛線の目盛値を示す目盛数字５０ｂを設ける。
【０１４１】
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線幅を、前記１ｃｍ毎の目盛線の線幅と同じとし、目盛線３２ａ、３３ａ、３７ａ、３８ａの内側先端に本目盛線の線幅の２倍の直径の内側を黒く着色した円形の印４０とそれぞれの目盛線の目盛値のｃｍ単位換算で小数点以下第一位の数である「２」、「３」、「７」、「８」の目盛数字５０ａを設ける。
【０１４２】
このように、１ｍｍ毎の最小目盛線の中央に、最小目盛線より線長が短い０．５ｍｍ毎の補助目盛線４２が形成されたスケールの目盛においては、まず最小目盛線である目盛線３２ａ、３３ａ、３７ａ、３８ａを、同じく最小目盛線である目盛線３１ａ、３４ａ、３６ａ、３９ａより線幅を太くし、目盛線３２ａ、３３ａ、３７ａ、３８ａの内側先端には円形の印４０と目盛数字５０ａを設けることにより、目盛線３２ａ、３３ａ、３７ａ、３８ａと目盛線３１ａ、３４ａ、３６ａ、３９ａの目盛線の表示方法が異なるものとする。
【０１４３】
このような目盛線３２ａ、３３ａ、３７ａ、３８ａと目盛線３１ａ、３４ａ、３６ａ、３９ａの相違点のある目盛をスケールに設ければ、４本ずつ形成される最小目盛線が、目盛値が０の方向から数えて２番目の最小目盛線と３番目の最小目盛線の線幅が１番目と４番目の最小目盛線の線幅に比べて太くなどされていて、この２番目と３番目の最小目盛線の目盛値はｃｍ単位に換算して小数点以下第一位の数が２、３、７、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１４４】
また、このように、最小目盛線の目盛値の判読が容易に出来ることで、最小目盛線に隣り合い形成されている０．５ｍｍ毎の補助目盛線４２も直感的に判別が出来るとともに、隣り合う最小目盛線の目盛値に０．５ｍｍの数を足したり引いたりすることで、補助目盛線４２の目盛値も判読が容易に出来る。
本発明は以上のように構成されている。
【０１４５】
（第１６の実施の形態）    
本発明の第１６の実施の形態について、図２０により説明する。
この実施の形態は、次によりなされた湿度が１０％から６０％までの範囲とする湿度計の目盛である。
イ、円形の目盛本体１０にダイヤル状に、次により目盛線を形成する。
まず、目盛値０％から目盛値６０％の範囲で、目盛値間隔１％毎に、目盛本体の中心から目盛本体の半径の０．９倍の位置から目盛本体１０の中心に向けて目盛本体１０の半径の０．１５倍の線長で同長の目盛線を形成する。ただし、目盛値０％から９％の範囲の目盛値間隔１％毎の目盛線は想定の目盛線であるので実際の表示は行わない。
【０１４６】
なお、目盛値は時計回りに昇順となるようにする。
このうち、目盛値が１５、２５、３５、４５、５５％の５％毎の目盛線の線長を、内側方向に長く前記１％毎の目盛線の１．３倍の線長とする。
次に、目盛値が１０、２０、３０、４０、５０、６０％の１０％毎の目盛線の線長と線幅を、前記５％毎の目盛線と同じ線長、線幅は前記１％毎の目盛線の２．５倍とし、本１０％毎の目盛線の内側先端付近にそれぞれの目盛線の目盛値を示す目盛数字５０ｂを設ける。
【０１４７】
ロ、目盛値が０％の想定の目盛線を起点２０とする。
ハ、任意に定める目盛値間隔は１％とする。
二、起点２０から、想定の目盛線も含め任意に定める目盛値間隔である１％毎のそれぞれの目盛線に、順に、０から１ずつ昇順に仮番号を付番する。
ホ、想定の目盛線である０％から９％の範囲を除き、仮番号の最下位の数が２、３、７、８となる目盛線３２ａ、３３ａ、３７ａ、３８ａの線幅を前記１０％毎の目盛線の線幅と同じとし、目盛線３２ａ、３３ａ、３７ａ、３８ａの内側先端に本目盛線の線幅の２倍の直径の内側が黒く着色された円形の印４０を設ける。
【０１４８】
このように、最小目盛線である目盛線３２ａ、３３ａ、３７ａ、３８ａの線幅を、同じく最小目盛線である目盛線３１ａ、３４ａ、３６ａ、３９ａより線幅を太くし、目盛線３２ａ、３３ａ、３７ａ、３８ａの内側先端に印４０を設けたことにより、目盛線３２ａ、３３ａ、３７ａ、３８ａと目盛線３１ａ、３４ａ、３６ａ、３９ａの表示方法が異なるものとする。
【０１４９】
このような目盛線３２ａ、３３ａ、３７ａ、３８ａと目盛線３１ａ、３４ａ、３６ａ、３９ａの相違点のある目盛を湿度計に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の線幅が太くなどされた目盛線は、目盛値の最下位の数が２、３、７、８であることを把握し測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１５０】
このように、目盛値が０までの目盛線を形成しない目盛においては、仮番号を目盛値が０となる想定の目盛線を起点とし、任意に定める目盛値間隔毎の想定の目盛線を含めたそれぞれの目盛線に０から１ずつ昇順に付番し、実際に形成されている目盛線の仮番号の最下位の数が２、３、７、８となる目盛線３２ａ、３３ａ、３７ａ、３８ａと仮番号の最下位の数が１、４、６、９となる目盛線３１ａ、３４ａ、３６ａ、３９ａの目盛線の表示方法が異なるものとする。
本発明は以上のように構成されている。
【０１５１】
（第１７の実施の形態）
本発明の第１７の実施の形態について、図２１により説明する。この実施の形態は、次によりなされた１Ｖ毎の目盛線の中間位置に、１Ｖ毎の線長より短い０．５Ｖ毎の補助目盛線４２が形成された電圧計の目盛である。
イ、目盛本体１０に、ダイヤル状に次により目盛線を形成する。
目盛値マイナス５Ｖからプラス１０Ｖの範囲で、目盛値間隔０．５Ｖ毎に、目盛線の線長が同じである目盛線を目盛本体１０の左側から右側方向にマイナス５Ｖから１０Ｖまで昇順に形成する。
【０１５２】
このうち、目盛値がマイナス１、２、３、４Ｖ、プラス１、２、３、４、６、７、８、９Ｖとなる１Ｖ毎の目盛線の線長を、上方向に長く前記０．５Ｖ毎の目盛線の１．６倍の線長とする。
次に、目盛値がマイナス５Ｖ、０Ｖ、プラス５、１０Ｖとなる５Ｖ毎の目盛線の線長と線幅を、上方向に長く前記１Ｖ毎の目盛線の線長の１．４倍、線幅は２．５倍とし、本５Ｖ毎の目盛線の上側先端付近にそれぞれの目盛線の目盛値を示す目盛数字５０ｂを設ける。
【０１５３】
ロ、目盛値が０Ｖの目盛線を起点２０とする。
ハ、任意に定める目盛値間隔は１Ｖとする。
二、起点２０から、目盛値がマイナス側及びプラス側の両方向に、任意に定める目盛値間隔である１Ｖ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線長と線幅を、上方向に長く仮番号の最下位の数が１、４、６、９となる目盛線３１ａ、３４ａ、３６ａ、３９ａの線長の１．２倍、線幅は前記５Ｖ毎の目盛線と同じとし、目盛線３２ａ、３３ａ、３７ａ、３８ａの上側先端付近にそれぞれの目盛線の目盛値を示す目盛数字５０ａを設ける。
【０１５４】
このように、１Ｖ毎の目盛線の間を２等分するように形成された補助目盛線４２が存するこのような目盛においては、まず次のように１Ｖ毎の最小目盛線の表示方法が異なるものとする。
最小目盛線である目盛線３２ａ、３３ａ、３７ａ、３８ａの線長と線幅を、同じく最小目盛線である目盛線３１ａ、３４ａ、３６ａ、３９ａより線長を長く、線幅は太くし、目盛線３２ａ、３３ａ、３７ａ、３８ａの上側先端付近に目盛数字５０ａを設けることで目盛線３２ａ、３３ａ、３７ａ、３８ａと目盛線３１ａ、３４ａ、３６ａ、３９ａの表示方法が異なるものとする。
【０１５５】
このような目盛線３２ａ、３３ａ、３７ａ、３８ａと目盛線３１ａ、３４ａ、３６ａ、３９ａの相違点のある目盛を電圧計に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の線幅が太くなどされた目盛線は、目盛値がマイナス２、３Ｖ、プラス２、３、７、８Ｖとなることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１５６】
このように、それぞれの最小目盛線の目盛値の判読が容易に出来ることで、この最小目盛線の目盛値に０．５Ｖを足したり引いたりすることで、隣り合う補助目盛線４２の目盛値の判読も容易に出来る。
本発明は以上のように構成されている。
【０１５７】
（第１８の実施の形態）
本発明の第１８の実施の形態について、図２２により説明する。この実施の形態は、次によりなされた０から３６０度の範囲の円形の角度計の目盛である。
イ、円形の目盛本体１０の中心を中心にして、目盛本体の半径の０．７倍の半径の円を形成する。
次に、ここで形成された円に、円の頂点を始点として円周を３６に分割する点から外側方向に放射線状に目盛本体の半径の０．０８倍の線長の目盛線を形成する。
次に、この各目盛線の外側先端付近に、円の頂点の目盛線を目盛値０度とし、時計回りに１０度ずつ昇順する目盛数字５０ｂを設ける。なお、それぞれの目盛数字５０ｂはその底部が目盛本体の中心に向くように設けるものとする。
【０１５８】
ロ、目盛値が０度の目盛線を起点２０とする。
ハ、任意に定める目盛値間隔は１０度とする。
ニ、起点２０から、任意に定める目盛値間隔である１０度毎のそれぞれの目盛線に、順に、０から１ずつ昇順に仮番号を付番する。
ホ、その仮番号の最下位の数が２、３、７、８となる目盛線３２ｂ、３３ｂ、３７ｂ、３８ｂの目盛数字５０ｂを四角形の線で囲む。
【０１５９】
このように、目盛線３２ｂ、３３ｂ、３７ｂ、３８ｂの目盛数字５０ｂを四角形の線で囲み、目盛線３１ｂ、３４ｂ、３６ｂ、３９の目盛数字５０ｂを四角形の線で囲まないことにより、目盛線３２ｂ、３３ｂ、３７ｂ、３８ｂと目盛線３１ｂ、３４ｂ、３６ｂ、３９ｂの表示方法が異なるものとする。
【０１６０】
このようにして、目盛線３２ｂ、３３ｂ、３７ｂ、３８ｂの目盛数字５０ｂである「２０」、「３０」、「７０」、「８０」などを四角形の線で囲むことで、この目盛線３２ｂ、３３ｂ、３７ｂ、３８ｂのそれぞれの目盛線を直感的に判別出来る。
【０１６１】
また、この目盛線３２ｂ、３３ｂ、３７ｂ、３８ｂのそれぞれの目盛線が直感的に判別出来ることで、隣り合う目盛線３１ｂ、３４ｂ、３６ｂ、３９ｂのそれぞれの目盛線も直感的に判別出来る。
以上のことから、このような目盛を角度計に設ければ、目盛線３１ｂ、３２ｂ、３３ｂ、３４ｂ、３６ｂ、３７ｂ、３８ｂ、３９ｂのそれぞれの目盛線を直感的に判別出来るので測定などが行いやすい。
【０１６２】
また、隣り合う目盛線３２ｂ、３３ｂ、３７ｂ、３８ｂの「２０」、「３０」などの目盛数字５０ｂを四角形の線で囲むことで、使用者がこの「２０」、「３０」などの目盛数字５０ｂの位置を把握しやすい。
【０１６３】
また、この目盛線３２ｂ、３３ｂの「２０」、「３０」などの目盛数字５０ｂは目盛線３１ｂ、３２ｂ、３３ｂ、３４ｂの目盛数字５０ｂである「１０」、「２０」、「３０」、「４０」の中央に位置するとともに、目盛線３７ｂ、３８ｂの「７０」、「８０」などの目盛数字５０ｂも、目盛線３６ｂ、３７ｂ、３８ｂ、３９ｂの目盛数字５０ｂである「６０」、「７０」、「８０」、「９０」の中央に位置しているため、使用者が「２０」、「３０」などの目盛数字５０ｂの位置を把握しやすい。
【０１６４】
また、この四角形の線で囲まれた「２０」、「３０」、「７０」、「８０」などの目盛数字５０ｂが目安となり１０度単位の目盛線の全体的な目盛位置の把握が行いやすい。
【０１６５】
このような目盛を様々な角度の測定や設定に使用する目盛とすれば、それぞれをの目盛線を直感的に判別出来るので、角度の測定や設定を迅速に行うことが出来る。
また、このような目盛を航空機や船舶などのジャイロコンパスの目盛として利用すれば、飛行などの方位を直感的に把握することが出来るため、迅速で正確な操縦に役立つのでそのようにしても良い。なお、この場合、「０」、「９０」、「１８０」、「２７０」のそれぞれの目盛数字５０ｂを、方角を示す「Ｎ」、「Ｅ」、「Ｓ」、「Ｗ」の表示としても良い。（図示省略）
本発明は以上のように構成されている。
【０１６６】
（第１９の実施の形態）
本発明の第１９の実施の形態について、図２３と図２４により説明する。この実施の形態は、次によりなされた物の長さの測定などを行うスケールの目盛である。
イ、目盛本体１０の一側縁に、次により目盛線を形成する。
まず、目盛値０ｃｍから目盛値１００ｃｍの範囲で、目盛値間隔１ｍｍ毎に、目盛線の線長が同じである目盛線を左側から右側方向に目盛値が昇順となるように形成する。
このうち、目盛値が、５ｍｍ、１５ｍｍ、２５ｍｍ等の５ｍｍ毎の目盛線の線長を前記１ｍｍ毎の目盛線の１．６倍の線長とする。
【０１６７】
次に、目盛値が、１ｃｍ、２ｃｍ、３ｃｍ等の１ｃｍ毎の目盛線の線長を、前記５ｍｍ毎の目盛線の１．２倍の線長とする。
次に、目盛値が０ｃｍ、１０ｃｍ、２０ｃｍ、３０ｃｍ等の１０ｃｍ毎の目盛線の線長と線幅を、前記１ｃｍ毎の目盛線の線長の２倍、線幅は２．５倍とし、本１０ｃｍ毎の目盛線の内側先端付近にそれぞれの目盛線の目盛値を示す目盛数字５０ｂを設ける。
【０１６８】
ロ、目盛値が０ｃｍの目盛線を起点２０とする。
ハ、任意に定める目盛値間隔は１０ｃｍとする。
二、起点２０から、任意に定める目盛値間隔である１０ｃｍ毎のそれぞれの目盛線に、順に、０から１ずつ昇順に仮番号を付番する。
ホ、その仮番号の最下位の数が２、３、７、８となる目盛線３２ｂ、３３ｂ、３７ｂ、３８ｂの目盛数字５０ｂを四角形の線で囲む。
【０１６９】
このように、１０ｃｍ毎の目盛線である目盛線３２ｂ、３３ｂ、３７ｂ、３８ｂの目盛数字５０ｂを四角形の線で囲み、同じく１０ｃｍ毎の目盛線である目盛線３１ｂ、３４ｂ、３６ｂ、３９ｂの目盛数字５０ｂを四角形の線で囲まないことにより、目盛線３２ｂ、３３ｂ、３７ｂ、３８ｂと目盛線３１ｂ、３２ｂ、３６ｂ、３９ｂの表示方法が異なるものとする。
【０１７０】
このようにして、目盛線３２ｂ、３３ｂ、３７ｂ、３８ｂの目盛数字５０ｂである「２０」、「３０」、「７０」、「８０」を四角形の線で囲むことで、この目盛線３２ｂ、３３ｂ、３７ｂ、３８ｂのそれぞれの目盛線を直感的に判別出来る。
また、この目盛線３２ｂ、３３ｂ、３７ｂ、３８ｂのそれぞれの目盛線が直感的に判別出来ることで、隣り合う目盛線３１ｂ、３４ｂ、３６ｂ、３９ｂのそれぞれの目盛線も直感的に判別出来る。
以上のことから、このような目盛をスケールに設ければ、目盛線３１ｂ、３２ｂ、３３ｂ、３４ｂ、３６ｂ、３７ｂ、３８ｂ、３９ｂのそれぞれの目盛線を直感的に判別出来るので測定などが行いやすい。
【０１７１】
また、１０ｃｍ単位で隣り合う目盛線３２ｂ、３３ｂ、３７ｂ、３８ｂの「２０」、「３０」などの目盛数字５０ｂを四角形の線で囲むことで、この「２０」、「３０」などの目盛数字５０ｂの位置を把握しやすい。
また、この目盛線３２ｂ、３３ｂの「２０」、「３０」の目盛数字５０ｂは目盛線３１ｂ、３２ｂ、３３ｂ、３４ｂの目盛数字５０ｂである「１０」、「２０」、「３０」、「４０」の中央に位置するとともに、目盛線３７ｂ、３８ｂの「７０」、「８０」の目盛数字５０ｂも、目盛線３６ｂ、３７ｂ、３８ｂ、３９ｂの目盛数字５０ｂである「６０」、「７０」、「８０」、「９０」の中央に位置しているため、「２０」、「３０」、「７０」、「８０」の目盛数字５０ｂの位置を把握しやすい。
また、この四角形の線で囲まれた「２０」、「３０」、「７０」、「８０」の目盛数字５０ｂが目安となり１０ｃｍ単位の目盛線の全体的な目盛位置の把握が行いやすい。
【０１７２】
このような目盛により、長さが長いスケールも、１０ｃｍ毎の目盛線を直感的に判別出来るため測定などが行いやすい。
本発明は以上のように構成されている。
【０１７３】
（第２０の実施の形態）
本発明の第２０の実施の形態について、図２５により説明する。この実施の形態は、次によりなされた物の長さの測定などを行うスケールの目盛である
イ、第１の実施形態のイにより、目盛本体１０に目盛線を形成する。
【０１７４】
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、その仮番号の最下位の数が３、８となる目盛線３３ａ、３８ａの線長と線幅を、仮番号の最下位の数が１、２、４、６、７、９となる目盛線の線長の１．２倍、線幅は１ｃｍ毎の目盛線と同じくし、目盛線３３ａ、３８ａの内側先端に本目盛線の線幅の２倍の直径の内側が黒く着色された円形の印４０とそれぞれの目盛線の目盛値のｃｍ単位換算で小数点以下第一位の数である「３」、「８」の目盛数字５０ａを設ける。
【０１７５】
このように、最小目盛線である目盛線３３ａ、３８ａを、同じく最小目盛線である目盛線３１ａ、３２ａ、３４ａ、３６ａ、３７ａ、３９ａより線長を長く、線幅を太くし、目盛線３３ａ、３８ａの内側先端に印４０及び目盛数字５０ａを設けることにより、目盛線３３ａ、３８ａと目盛線３１ａ、３２ａ、３４ａ、３６ａ、３７ａ、３９ａの目盛線の表示方法が異なるものとする。
【０１７６】
このような目盛線３３ａ、３８ａと目盛線３１ａ、３２ａ、３４ａ、３６ａ、３７ａ、３９ａの相違点のある目盛をスケールに設ければ、４本ずつ形成される最小目盛線が、目盛値が０の方向から数えて３番目の目盛線の線幅が１番目、２番目、４番目の目盛線の線幅に比べて太くなどされていて、この３番目の目盛線の目盛値はｃｍ単位に換算して小数点以下第一位の数が３、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
本発明は以上のように構成されている。
【０１７７】
（第２１の実施の形態）
本発明の第２１の実施の形態について、図２６により説明する。この実施の形態は、次によりなされた物の長さの測定などを行うスケールの目盛である
イ、第１の実施形態のイにより、目盛本体１０に目盛線を形成する。
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
ホ、その仮番号の最下位の数が３、８となる目盛線３３ａ、３８ａの外縁部の先端に、内側が黒く着色された三角形の印４０を設ける。
【０１７８】
このように、最小目盛線である目盛線３３ａ、３８ａには印４０を設け、同じく最小目盛線である目盛線３１ａ、３２ａ、３４ａ、３６ａ、３７ａ、３９ａには印４０を設けないことにより、目盛線３３ａ、３８ａと目盛線３１ａ、３２ａ、３４ａ、３６ａ、３７ａ、３９ａの表示方法が異なるものとする。
【０１７９】
このような目盛線３３ａ、３８ａと目盛線３１ａ、３２ａ、３４ａ、３６ａ、３７ａ、３９ａの相違点のある目盛をスケールに設ければ、４本ずつ形成される最小目盛線が、目盛値が０の方向から数えて３番目の目盛線に内側が黒く着色された三角形の印４０が設けられ、１番目と２番目と４番目の目盛線には設けられないとともに、この３番目の目盛線の目盛値はｃｍ単位に換算して小数点以下第一位の数が３、８となることを把握し測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０１８０】
このような目盛をスケールの目盛とすれば、全ての最小目盛線の線長と線幅が同一となり、表示がシンプルなデザインの目盛とすることが出来る。
本発明は以上のように構成されている。
【０１８１】
（第２２の実施の形態）
本発明の第２２の実施の形態について、図２７により説明する。この実施の形態は次によりなされた、物の長さの測定などを行うスケールの目盛である
イ、第１９の実施形態のイにより目盛本体１０に目盛線を形成する。
【０１８２】
ロ、目盛値が０ｃｍの目盛線を起点２０とする。
ハ、任意に定める目盛値間隔は１０ｃｍとする。
二、起点２０から、任意に定める目盛値間隔である１０ｃｍ毎のそれぞれの目盛線に、順に、０から１ずつ昇順に仮番号を付番する。
ホ、その仮番号の最下位の数が３、８となる目盛線３３ｂ、３８ｂの目盛数字５０ｂを四角形の線で囲む。
【０１８３】
このように、１０ｃｍ毎の目盛線である目盛線３３ｂ、３８ｂの目盛数字５０ｂを四角形の線で囲み、同じく１０ｃｍ毎の目盛線である目盛線３１ｂ、３２ｂ、３４ｂ、３６ｂ、３７ｂ、３９ｂの目盛数字５０ｂを四角形の線で囲まないことにより、目盛線３３ａ、３８ａと目盛線３１ａ、３２ａ、３４ａ、３６ａ、３７ａ、３９ａの表示方法が異なるものとする。
【０１８４】
このようにして、目盛線３３ｂ、３８ｂの目盛数字５０ｂである「３０」、「８０」を四角形の線で囲むことで、この目盛線３３ｂ、３８ｂのそれぞれの目盛線を直感的に判別出来る。
また、この目盛線３３ｂ、３８ｂのそれぞれの目盛線が直感的に判別出来ることで、近傍の目盛線３１ｂ、３２ｂ、３４ｂ、３６ｂ、３７ｂ、３９ｂのそれぞれの目盛線も直感的に判別出来る。
以上のことから、このような目盛をスケールに設ければ、目盛線３１ｂ、３２ｂ、３３ｂ、３４ｂ、３６ｂ、３７ｂ、３８ｂ、３９ｂのそれぞれの目盛線を直感的に判別出来るので測定などが行いやすい。
【０１８５】
また、四角形の線で囲まれた「３０」、「８０」の目盛数字５０ｂが目安となり１０ｃｍ単位の目盛線の全体的な目盛位置の把握が行いやすい。
本発明は以上のように構成されている。
【０１８６】
（第２３の実施の形態）
本発明の第２３の実施の形態について、図２８により説明する。この実施の形態は、次によりなされた物の長さの測定などを行うスケールの目盛である
イ、第１の実施形態のイにより、目盛本体１０に目盛線を形成する。
ロ、目盛値が０ｃｍの目盛線を起点２０とする。
ハ、任意に定める目盛値間隔は１ｍｍとする。
二、起点２０から、任意に定める目盛値間隔である１ｍｍ毎のそれぞれの目盛線に、順に、０から１ずつ昇順に仮番号を付番する。
【０１８７】
ホ、その仮番号の最下位の数が２、７となる目盛線３２ａ、３７ａの線長と線幅を、仮番号の最下位の数が１、３、４、６、８、９となる目盛線３１ａ、３３ａ、３４ａ、３６ａ、３８ａ、３９ａの線長の１．２倍、線幅は１ｃｍ毎の目盛線の線幅と同じくし、目盛線３２ａ、３７ａの内側先端に本目盛線の線幅の２倍の直径の内側を黒く着色した円形の印４０とそれぞれの目盛線の目盛値のｃｍ単位換算で小数点以下第一位の数である「２」、「７」の目盛数字５０ａを設ける。
【０１８８】
このように、最小目盛線である目盛線３２ａ、３７ａを、同じく最小目盛線である目盛線３１ａ、３３ａ、３４ａ、３６ａ、３８ａ、３９ａより線長を長く、線幅を太くし、目盛線３２ａ、３７ａの内側先端に印４０及び目盛数字５０ａを設けることにより、目盛線３２ａ、３７ａと目盛線３１ａ、３３ａ、３４ａ、３６ａ、３８ａ、３９ａの表示方法が異なるものとする。
【０１８９】
このような目盛線３２ａ、３７ａと目盛線３１ａ、３３ａ、３４ａ、３６ａ、３８ａ、３９ａの相違点のある目盛をスケールに設ければ、４本ずつ形成される最小目盛線が、目盛値が０の方向から数えて２番目の目盛線の線幅が１番目、３番目、４番目の目盛線の線幅に比べて太くなどされていて、この２番目の目盛線の目盛値はｃｍ単位に換算して小数点以下第一位の数が２、７となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
本発明は以上のように構成されている。
【０１９０】
（第２４の実施の形態）
本発明の第２４の実施の形態について、図２９により説明する。
この実施の形態は、次によりなされた１０ｃｍの物の長さの測定などを行うスケールの目盛である。
イ、第１の実施形態のイにより、目盛本体１０に目盛線を形成する。
ロ、４本ずつ形成されている最小目盛線６０のうち、目盛値が０の目盛線のある側を左として、左から数えて２番目の２番目盛線５２と４番目の４番目盛線５４の線幅を、同様に左から数えて１番目の１番目盛線５１と３番目の３番目盛線５３の２．５倍の線幅とする。
【０１９１】
このような目盛をスケールに設ければ、４本ずつ形成されている最小目盛線６０のうち２番目盛線５２及び４番目盛線５４の線幅が同じく最小目盛線である１番目盛線５１と３番目盛線５３より太く、この２番目盛線５２と４番目盛線５４の目盛値はｃｍ単位に換算して小数点以下第一位の数が２、４、７、９となることを把握し測定などを行うことで、４本ずつ形成される最小目盛線をいちいち数えなくても、それぞれの最小目盛線の直感的な判別が出来るとともに、それぞれの最小目盛線の目盛値の判読が容易に出来る。
【０１９２】
また、このように、２番目盛線５２及び４番目盛線５４の線幅を、同じく最小目盛線である１番目盛線５１と３番目盛線５３より太くするとともに、２番目盛線５２及び４番目盛線５４の線長を１番目盛線５１と３番目盛線５３の線長の１．２倍としたり、それぞれの目盛線の目盛値のｃｍ単位換算で小数点以下第一位の数である「２」、「４」、「７」、「９」の目盛数字５０ａを設ければ、更に、最小目盛線の目盛値の判読が容易に出来るのでそのようにしても良い。（図示省略）
【０１９３】
また、４本ずつ形成されている最小目盛線６０のうち１番目盛線５１と３番目盛線５３の線幅を、同じく最小目盛線である２番目盛線５２と４番目盛線５４の線幅より太くしても同様の効果があるのでそのようにしても良い。
（図示省略）
【０１９４】
また、４本ずつ形成されている最小目盛線６０のうち１番目盛線５１と２番目盛線５２の線幅を、同じく最小目盛線である３番目盛線５３と４番目盛線５４の線幅より太くし、最小目盛線６０の隣り合う２本ずつが同じ線幅とする場合でも、この線幅が太い１番目盛線５１と２番目盛線５２の目盛値がｃｍ単位に換算して小数点以下第一位の数が１、２、６、７となることを把握し測定などを行うことで、４本ずつ形成される最小目盛線をいちいち数えなくても、それぞれの最小目盛線の直感的な判別が出来るとともに、それぞれの最小目盛線の目盛値の判読が容易に出来るので、そのようにしても良い。（図示省略）
【０１９５】
また、４本ずつ形成されている最小目盛線６０のうち３番目盛線５３と４番目盛線５４の線幅を、同じく最小目盛線である１番目盛線５１と２番目盛線５２の線幅より太くし、最小目盛線６０の隣り合う２本ずつが同じ線幅とすることでも、同様な効果があるので、そのようにしても良い。（図示省略）
【０１９６】
また、４本ずつ形成されている最小目盛線６０のうち２番目盛線５２と３番目盛線５３の線幅を、１番目盛線５１と４番目盛線５４の線幅より太くし、この２番目盛線５２と３番目盛線５３の目盛値はｃｍ単位に換算して小数点以下第一位の数が２、３、７、８となることを把握し測定などを行うことで、４本ずつ形成される最小目盛線をいちいち数えなくても、それぞれの最小目盛線の直感的に判別出来るとともに、それぞれの最小目盛線の目盛値の判読が容易に出来るので、そのようにしても良い。（図示省略）
【０１９７】
また、この場合、２番目盛線５２及び３番目盛線５３の線長を１番目盛線５１と４番目盛線５４の線長の１．２倍とすれば、それぞれの最小目盛線の判別と目盛値の判読が更に行いやすいので、そのようにしても良い。（図示省略）
また、２番目盛線５２及び３番目盛線５３に、目盛値のｃｍ単位換算で小数点以下第一位の数である「２」、「３」、「７」、「８」の目盛数字５０ａを設ければ、更に、それぞれの最小目盛線の目盛値の判読が容易に出来るのでそのようにしても良い。（図示省略）
【０１９８】
このような目盛をスケールに設ければ、全ての最小目盛線の線長が同一で、線幅が異なるのみであるため、表示がシンプルな目盛とすることが出来る。
本発明は以上のように構成されている。
【０１９９】
（第２５の実施の形態）
本発明の第２５の実施の形態について、図３０により説明する。
この実施の形態は、次によりなされた温度計の目盛である。
イ、目盛本体１０に、次により目盛線を形成する。  
目盛値マイナス１０℃からプラス３０℃の範囲で、目盛値間隔１℃毎に、水平で同長の目盛線を上側から下側の方向に目盛値が降順となるように形成する。
このうち、目盛値がマイナス５℃、プラス５、１５、２５℃となる５℃毎の目盛線の線長と線幅を、右方向に長く前記１℃毎の目盛線の線長の１．３倍、線幅は２．５倍とし、本５℃毎の目盛線の右側先端付近にそれぞれの目盛線の目盛値を示す目盛数字５０ｂを設ける。
【０２００】
次に、目盛値がマイナス１０℃、０℃、プラス１０、２０、３０℃となる１０℃毎の目盛線の線長と線幅を、右方向に長く前記５℃毎の目盛線の線長の１．２倍、線幅は同じくし、本１０℃毎の目盛線の右側先端付近にそれぞれの目盛線の目盛値を示す目盛数字５０ｂを設ける。
【０２０１】
ロ、目盛値が０℃の目盛線を起点２０とする。
ハ、任意に定める目盛値間隔は１℃とする。
二、起点２０から、目盛値がマイナス側及びプラス側の両方向に、任意に定める目盛値間隔である１℃毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線幅を前記５℃毎の目盛線と同じとし、目盛線３２ａ、３３ａ、３７ａ、３８ａの右側先端に本目盛線の線幅の２倍の直径の内側を黒色に着色した円形の印４０とそれぞれの目盛線の目盛値を示す目盛数字５０ａを設ける。
ヘ、全ての目盛線の中間部分の同じ位置に、目盛線３２ａ、３３ａ、３７ａ、３８ａの線長の０．３倍の幅で目盛線を消す切欠き４５を設ける。
【０２０２】
このように、最小目盛線である目盛線３２ａ、３３ａ、３７ａ、３８ａの線幅を、目盛線３１ａ、３４ａ、３６ａ、３９ａより太くし、目盛線３２ａ、３３ａ、３７ａ、３８ａの右側先端に印４０及び目盛数字５０ａを設けることにより、目盛線３２ａ、３３ａ、３７ａ、３８ａと目盛線３１ａ、３４ａ、３６ａ、３９ａの表示方法が異なるものとする。
【０２０３】
このような目盛線３２ａ、３３ａ、３７ａ、３８ａと目盛線３１ａ、３４ａ、３６ａ、３９ａの相違点のある目盛を温度計に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の線幅が太くなどされた目盛線は、目盛値の最下位の数が２、３、７、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０２０４】
また、この実施の形態においては、目盛線３２ａ、３３ａ、３７ａ、３８ａに目盛数字５０ａである「２」、「３」、「７」、「８」などを設けたことで、この目盛数字５０ａを設けない場合に比べ目盛線３２ａ、３３ａ、３７ａ、３８ａの目盛値の判読が行いやすい。
また、この目盛線３２ａと目盛線３３ａ、目盛線３７ａと目盛線３８ａの隣り合う目盛線に目盛数字５０ａを設けているので、「２」と「３」、「７」と「８」の目盛数字５０ａの差から目量が、１℃であることが容易に把握出来る。
【０２０５】
このように目量が、１℃であることが容易に把握出来ることで、目盛線３２ａ、３３ａ、３７ａ、３８ａと隣り合う目盛数字５０ａのない目盛線３１ａ、３４ａ、３６ａ、３９ａも、目盛線３２ａ、３３ａ、３７ａ、３８ａの目盛数字５０ａに目量の１℃を足したり、引いたりすることで、目盛線３１ａ、３４ａ、３６ａ、３９ａの目盛値も目盛線３２ａ、３３ａ、３７ａ、３８ａと同様に目盛数字５０ａを設けない場合に比べ目盛値の判読が行いやすい。
【０２０６】
また、この目盛線３２ａ、３３ａ、３７ａ、３８ａに目盛数字５０ａを設けたことで、前記のように目量を把握しなくても目盛線３１ａ、３４ａ、３６ａ、３９ａの目盛値の判読が容易に出来る。
例えば、目盛線３９ａである９℃の目盛線には目盛数字５０ａが設けられていないが、目盛数字５０ａが設けられた目盛線３８ａである８℃と目盛数字が設けられた１０℃の中間の目盛線であるので９ｍｌの目盛値であることが容易に判読出来る。
このようにすることで、目盛数字５０ａが設けられていない目盛線３１ａ、３４ａ、３６ａ、３９ａの目盛値の判読も行いやすい。
【０２０７】
また、この実施の形態では、この切欠き４５に、目盛のない測定液が封入されたガラス製棒温度計を設ける構造とする。
このようにすることで、目盛線３２ａ、３３ａ、３７ａ、３８ａと目盛線３１ａ、３４ａ、３６ａ、３９ａの線幅の異なる目盛線でガラス製温度計を挟み測定を行うこととなり、目盛線の判別がしやすく、目盛値の判読を行いやすい。
【０２０８】
また、この実施の形態の目盛において、切欠き４５を設けず、目盛線左端にガラス製温度計を設けることとしても、目盛線の判別がしやすく、目盛値の判読を行いやすいのでそのようにしても良い。（図示省略）
本発明は以上のように構成されている。
【０２０９】
（第２６の実施の形態）
本発明の第２６の実施の形態について、図３１により説明する。
この実施の形態は、次によりなされた全体が透明な素材の液量計や注射筒の目盛である。
イ、目盛本体１０に、次により目盛線を形成する。  
目盛値０ｍｌから３０ｍｌ範囲で、目盛値間隔１ｍｌ毎に、水平で同長の目盛線を上側から下側方向に目盛値が降順となるよう形成する。
このうち、目盛値が０、５、１０、１５、２０、２５、３０ｍｌの５ｍｌ毎の目盛線の線長と線幅を、右方向に長く前記１ｍｌ毎の目盛線の線長の１．３倍、線幅は２．５倍とし、本５ｍｌ毎の目盛線右側先端付近にそれぞれの目盛線の目盛値を示す目盛数字５０ｂを設ける。
【０２１０】
ロ、目盛値が０ｍｌの目盛線を起点２０とする。
ハ、任意に定める目盛値間隔は１ｍｌとする。
二、起点２０から、任意に定める目盛値間隔である１ｍｌ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線幅を前記５ｍｌ毎の目盛線の線幅と同じくし、本目盛線の右側先端に本目盛線の線幅の２倍の直径の内側を黒色に着色した円形の印４０とそれぞれの目盛線の目盛値を示す目盛数字５０ａを設ける。
【０２１１】
ヘ、全ての目盛線の中間部分の同じ位置に、目盛線３２ａ、３３ａ、３７ａ、３８ａの線長の０．３倍の幅の目盛線を消す切欠き４５を設ける。
ト、目盛数字（５０ａ、５０ｂ）の反対側の各目盛線先端４６を結ぶように直線の止め線４７を形成する。
【０２１２】
このように、最小目盛線である目盛線３２ａ、３３ａ、３７ａ、３８ａの線幅を、同じく最小目盛線である目盛線３１ａ、３４ａ、３６ａ、３９ａより線幅を太くし、目盛線３２ａ、３３ａ、３７ａ、３８ａの右側先端に印４０及び目盛数字５０ａを設けることにより、目盛線３２ａ、３３ａ、３７ａ、３８ａと目盛線３１ａ、３４ａ、３６ａ、３９ａの表示方法が異なるものとする。
【０２１３】
このような目盛線３２ａ、３３ａ、３７ａ、３８ａと目盛線３１ａ、３４ａ、３６ａ、３９ａの相違点のある目盛を液量計や注射筒に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値は最下位の数が２、３、７、８となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０２１４】
また、この実施の形態においては、目盛線３２ａ、３３ａ、３７ａ、３８ａに目盛数字５０ａである「２」、「３」、「７」、「８」などを設けたことで、この目盛数字５０ａを設けない場合に比べ目盛線３２ａ、３３ａ、３７ａ、３８ａの目盛値の判読が行いやすい。
また、隣り合うこの目盛線３２ａと目盛線３３ａ、目盛線３７ａと目盛線３８ａの目盛線に目盛数字５０ａを設けているので、「２」と「３」、「７」と「８」などの目盛数字５０ａの差から目量が、１ｍｌであることが容易に把握出来る。
【０２１５】
このように目量が、１ｍｌであることが容易に把握出来ることで、目盛線３２ａ、３３ａ、３７ａ、３８ａと隣り合う目盛数字５０ａのない目盛線３１ａ、３４ａ、３６ａ、３９ａも、目盛線３２ａ、３３ａ、３７ａ、３８ａの目盛数字５０ａに目量の１ｍｌを足したり、引いたりすることで、目盛線３１ａ、３４ａ、３６ａ、３９ａの目盛値も目盛線３２ａ、３３ａ、３７ａ、３８ａと同様に目盛数字５０ａを設けない場合に比べ目盛値の判読が行いやすい。
【０２１６】
また、この目盛線３２ａ、３３ａ、３７ａ、３８ａに目盛数字５０ａを設けたことで、前記のように目量を把握しなくても目盛線３１ａ、３４ａ、３６ａ、３９ａの目盛値の判読が容易に出来る。
例えば、目盛線３９ａである９ｍｌの目盛線には目盛数字５０ａが設けられていないが、目盛数字５０ａが設けられた目盛線３８ａである８ｍｌと目盛数字が設けられた１０ｍｌの中間の目盛線であるので９ｍｌの目盛値であることが容易に判読出来る。
このようにすることで、目盛数字５０ａが設けられていない目盛線３１ａ、３４ａ、３６ａ、３９ａの目盛値の判読も行いやすい。
【０２１７】
また、このように全ての目盛線に切欠き４５を設け、その切欠き４５に現れる液面により測定などを行うので、液面が目盛線に重ならず、また、切欠き４５の両側の２本の目盛線で液面を挟むようにして目盛値の判読を行うので、通常の１本の目盛線で測定などを行うよりも、液面の視認性が高いとともに、目盛値の判読が行いやすい。
また、この両側の目盛線は、目盛線３２ａ、３３ａ、３７ａ、３８ａと目盛線３１ａ、３４ａ、３６ａ、３９ａは線幅が異なるので、それぞれの目盛線の判別と目盛値の判読が行いやすい。
【０２１８】
また、注射筒本体に、このような目盛を注射針がこの目盛の下側となる位置に設ければ、切欠き４５から目盛線に重なることなく薬液等の液面とともに注射筒の可動式の押子の薬液等側の端部も視認しやすいため、的確に必要な量の薬液等を注射筒に充填することが出来る。
【０２１９】
なお、図３１の目盛においては、目盛数字（５０ａ、５０ｂ）は上側から下側の方向に降順となっているが、注射筒本体に図３１の目盛のほかに、図３２のように目盛数字（５０ａ、５０ｂ）を上側から下側の方向に昇順とした目盛を注射針が上側となる位置に注射筒本体に併せて設ければ、薬液等の充填の際に、注射針を上に向けた充填は図３２の目盛、下に向けた充填の時は図３１の目盛を利用すれば、使用者が見る目盛数字の上下が逆にならず充填が行いやすいのでそのようにしても良い。
【０２２０】
また、図３１か図３２のいずれかの目盛だけを設けた注射筒としても良い。
このような目盛を注射筒の目盛とすれば、薬液等の充填量を容易に判読出来るので、注射業務における充填量の誤りを防止し、看護士の負担軽減と敏速な処置に役立つものである。
【０２２１】
また、止め線４７により、測定などの際に使用者が目盛線に視点を定めやすくなり、目盛値の判読が行いやすい。
【０２２２】
また、切欠き４５、止め線４７、目盛線３２ａ、３３ａ、３７ａ、３８ａの目盛数字５０ａが不要な場合は設けなくとも、目盛線３２ａ、３３ａ、３７ａ、３８ａと目盛線３１ａ、３４ａ、３６ａ、３９ａの相違点から、それぞれの最小目盛線を直感的に判別出来るとともに、それぞれの最小目盛線の目盛値の判読が容易に出来るので、そのようにしても良い。（図示省略）
【０２２３】
また、この実施の形態の図３１の目盛を、容器の形状に合わせて目盛線の間隔を調整すればメートルグラスの目盛としても利用出来、前記と同様な効果を得るのでそのようにしても良い。（図示省略）
本発明は以上のように構成されている。
【０２２４】
（第２７の実施の形態）
本発明の第２７の実施の形態について、図３３により説明する。この実施の形態は、次によりなされた旋盤の送り目盛など設定部に設けられる目盛である。
イ、目盛本体１０の一側縁に、次により目盛線を形成する。
目盛本体１０に、目盛値０ｃｍから目盛値１．０ｃｍの範囲で、目盛値間隔０．０２ｃｍ毎に、目盛線の線長が同じ目盛線を左側から右側方向に目盛値が昇順となるように形成する。
【０２２５】
次に、目盛値が、０．１、０．２、０．３、０．４、０．６、０．７、０．８、０．９ｃｍとなる０．１ｃｍ毎の目盛線の線長と線幅を、前記０．０２ｃｍ毎の目盛線の線長の１．４倍、線幅は２．５倍とし、本０．１ｃｍ毎の目盛線の内側先端付近にそれぞれの目盛線の目盛値を示す目盛数字５０ｂを設ける。
次に、目盛値が０、０．５、１．０ｃｍとなる０．５ｃｍ毎の目盛線の線長と線幅を、前記０．１ｃｍ毎の目盛線の線長の１．１倍、線幅は同じくし、本０．５ｃｍ毎の目盛線内側先端付近にそれぞれの目盛線の目盛値を示す目盛数字５０ｂを設ける。
【０２２６】
ロ、目盛値が０ｃｍの目盛線を起点２０とする。
ハ、任意に定める目盛値間隔は０．０２ｃｍとする。
二、起点２０から、任意に定める目盛値間隔である０．０２ｃｍ毎のそれぞれの目盛線に、順に、０から１ずつ昇順に仮番号を付番する。
ホ、その仮番号の最下位の数が２、３、７、８となる目盛線３２ａ、３３ａ、３７ａ、３８ａの線長と線幅を、仮番号の最下位の数が１、４、６、９となる目盛線３１ａ、３４ａ、３６ａ、３９ａの線長の１．１倍、線幅は前記０．１ｃｍ毎の目盛線と同じとし、目盛線３２ａ、３３ａ、３７ａ、３８ａの内側先端に本目盛線の線幅の２倍の直径の内側が黒色に着色された円形の印４０とそれぞれの目盛線の目盛値のｃｍ単位換算で小数点以下第二位の数である「４」、「６」の目盛数字５０ａを設ける。
ヘ、全ての目盛線の中間部分の同じ位置に、目盛線３１ａ、３４ａ、３６ａ、３９ａの線長の０．３倍の幅の目盛線を消す切欠き４５を設ける。
ト、切欠き４５に挟まれた範囲に開口部２２を設ける。
【０２２７】
このような目盛を旋盤の送り目盛など設定部に設け、開口部２２内に設定用の指針４８を設ける構造とする。
この設けられた指針４８は固定し目盛本体１０を動かすことで送り量などを決める構造としても良いし、目盛本体１０は固定し指針４８を動かして送り量などを決める構造としても良い。
【０２２８】
このように、最小目盛線である目盛線３２ａ、３３ａ、３７ａ、３８ａの線長と線幅を、同じく最小目盛線である目盛線３１ａ、３４ａ、３６ａ、３９ａより線長を長く、線幅を太くし、目盛線３２ａ、３３ａ、３７ａ、３８ａの内側先端には円形の印４０と目盛数字５０ａを設けることにより、目盛線３２ａ、３３ａ、３７ａ、３８ａと目盛線３１ａ、３４ａ、３６ａ、３９ａの表示方法が異なるものとする。
【０２２９】
このような目盛線３２ａ、３３ａ、３７ａ、３８ａと目盛線３１ａ、３４ａ、３６ａ、３９ａの相違点のある目盛を旋盤の送り目盛など設定部に設ければ、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第二位の数が４、６となることを把握し、そこに設けられた目盛数字５０ａを目安にして測定などを行うことで、４本ずつ形成される最小目盛線をいちいち数えなくても、それぞれの最小目盛線を直感的に判別出来るとともに、それぞれの最小目盛線の目盛値の判読が容易に出来る。
【０２３０】
また、この実施の形態においては、目盛線３２ａ、３３ａ、３７ａ、３８ａに目盛数字５０ａである「４」、「６」を設けたことで、この目盛数字５０ａを設けない場合に比べ目盛線３２ａ、３３ａ、３７ａ、３８ａの目盛値の判読が行いやすい。
また、この目盛線３２ａと目盛線３３ａ、目盛線３７ａと目盛線３８ａの隣り合う目盛線に目盛数字５０ａを設けているので、「４」と「６」の目盛数字５０ａの差から目量が、０．０２ｃｍであることが容易に把握出来る。
【０２３１】
このように目量が、０．０２ｃｍであることが容易に把握出来ることで、目盛線３２ａ、３３ａ、３７ａ、３８ａと隣り合う目盛数字５０ａのない目盛線３１ａ、３４ａ、３６ａ、３９ａも、目盛線３２ａ、３３ａ、３７ａ、３８ａの目盛数字５０ａに目量の０．０２ｃｍを足したり、引いたりすることで、目盛線３１ａ、３４ａ、３６ａ、３９ａの目盛値も目盛線３２ａ、３３ａ、３７ａ、３８ａと同様に目盛数字５０ａを設けない場合に比べ目盛値の判読が行いやすい。
【０２３２】
また、指針４８を切欠き４５の両側の目盛線で挟むようにして目盛値の判読を行うため、指針４８が目盛本体１０の一側縁に設けられている場合に比べ指針４８の視認性が高いとともに、それぞれの目盛線の目盛値の判読が行いやすい。
また、この両側の目盛線は、目盛線３２ａ、３３ａ、３７ａ、３８ａと目盛線３１ａ、３４ａ、３６ａ、３９ａは線幅が異なるので、それぞれの目盛線の判別と目盛値の判読が行いやすい。
これらのことから図３３であれば、指針４８の示す目盛値は、０．６２ｃｍであることが容易に判読出来る。
このような目盛を旋盤の送り目盛など設定部の目盛とすれば、正確かつ迅速に目盛設定を行うことが出来る。
本発明は以上のように構成されている。
【０２３３】
（第２８の実施の形態）
本発明の第２８の実施の形態について、図３４により説明する。
この実施の形態は、次によりなされた電気通信機械器具などに設けられる回転式の設定つまみの目盛である。
イ、円形の目盛本体１０にダイヤル状に、次により目盛数字５０ｂや印１１２の目盛表示を設ける。
まず、目盛値０から目盛値１０の範囲で、目盛値間隔１毎に、それぞれの目盛位置を示す目盛表示である目盛数字５０ｂを設ける。
【０２３４】
ロ、目盛値が０の目盛表示を起点２０とする。
ハ、任意に定める目盛間隔は１目盛とする。
二、起点２０から、任意に定める目盛間隔である１目盛毎のそれぞれの目盛表示に、順に、０から１ずつ昇順に仮番号を付番する。
ホ、その仮番号の最下位の数が１、４、６、９となる目盛表示１０１ｂ、１０４ｂ、１０６ｂ、１０９ｂを、内側が黒く着色された円形の印１１２に変更する。
【０２３５】
このように、仮番号の最下位の数が２、３、７、８となる目盛表示１０２ｂ、１０３ｂ、１０７ｂ、１０８ｂは、目盛数字５０ｂによる表示とし、仮番号の最下位の数が１、４、６、９となる目盛表示１０１ｂ、１０４ｂ、１０６ｂ、１０９ｂは印１１２による表示とすることで表示方法が異なるものとする。
【０２３６】
このような目盛を回転式の設定つまみに設ければ、目盛表示１０２ｂ、１０３ｂ、１０７ｂ、１０８ｂを目盛数字５０ｂである「２」、「３」、「７」、「８」とし、目盛表示１０１ｂ、１０４ｂ、１０６ｂ、１０９ｂは印１１２とすることで、目盛表示１０２ｂ、１０３ｂ、１０７ｂ、１０８ｂを直感的に判別出来る。
【０２３７】
また、この目盛表示１０２ｂ、１０３ｂ、１０７ｂ、１０８ｂが直感的に判別出来ることで、隣り合う目盛表示１０１ｂ、１０４ｂ、１０６ｂ、１０９ｂとなる目盛表示も直感的に判別出来る。
以上のことから目盛表示１０１ｂ、１０２ｂ、１０３ｂ、１０４ｂ、１０６ｂ、１０７ｂ、１０８ｂ、１０９ｂを直感的に判別出来るので目盛設定が行いやすい。
【０２３８】
なお、目盛値が０までの目盛表示が設けられない目盛においては、目盛値が０までの想定の目盛表示を含めて任意に定める目盛間隔毎のそれぞれの目盛表示に、目盛値が０となる目盛表示を起点として、順に、０から１ずつ昇順に仮番号を付番し、実際に設けられている目盛表示の仮番号の最下位の数が２、３、７、８となる目盛表示１０２ｂ、１０３ｂ、１０７ｂ、１０８ｂと仮番号の最下位の数が１、４、６、９となる目盛表示１０１ｂ、１０４ｂ、１０６ｂ、１０９ｂの表示方法が異なるものとする。このようにしても発明の効果は変わらないのでそのようにしても良い。（図示省略）
【０２３９】
また、このように隣り合う目盛表示１０２ｂ、１０３ｂ、１０７ｂ、１０８ｂが、「２」、「３」、「７」、「８」の目盛数字５０ｂによる表示とされたことで、この「２」、「３」、「７」、「８」の目盛表示の位置を把握しやすい。
【０２４０】
また、この「２」、「３」の目盛表示１０２ｂ、１０３ｂは、目盛表示１０１ｂ、１０２ｂ、１０３ｂ、１０４ｂの中央に位置するとともに、「７」、「８」の目盛表示１０７ｂ、１０８ｂも目盛表示１０６ｂ、１０７ｂ、１０８ｂ、１０９ｂの中央に位置しているため、この「２」、「３」、「７」、「８」の目盛数字５０ｂの位置を把握しやすい。
【０２４１】
また、この「２」、「３」、「７」、「８」の目盛数字５０ｂによる目盛表示が設けられたことで、「２」、「３」、「７」、「８」の目盛数字５０ｂが目安となり全体的な目盛位置の把握が行いやすい。
【０２４２】
なお、このような目盛の中央に、外縁部に指針４８が形成された円柱状の回転式の設定用つまみ４９を設け、それぞれの目盛表示を直感的に判別し、その上で回転式の設定用つまみ４９を回転させることで目盛設定を正確かつ迅速に行うことが出来る。
【０２４３】
また、目盛表示１０１ｂ、１０２ｂ、１０３ｂ、１０４ｂ、１０６ｂ、１０７ｂ、１０８ｂ、１０９ｂを目盛数字による表示とし、目盛表示１０２ｂ、１０３ｂ、１０７ｂ、１０８ｂの目盛数字を円形の線で囲み、目盛表示１０１ｂ、１０４ｂ、１０６ｂ、１０９ｂの目盛数字は円形の線で囲まないようにしても同様の効果があるので、そのようにしても良い。（図示省略）
【０２４４】
また、印１１２の形状は、三角形でも、四角形でも、二重丸でも良く、どのような形状でも良い。
【０２４５】
また、目盛値が０となる目盛表示を起点とし、任意に定める目盛間隔毎のそれぞれの目盛表示に０から１ずつ昇順に仮番号を付番し、その仮番号の最下位の数が２、３、７、８となる目盛表示と仮番号の最下位の数が１、４、６、９となる目盛表示の表示方法が異なることとする方法は、スケールや液量計など複数の目盛線による目盛にも利用でき、それぞれの目盛線の直感的な判別と目盛値の容易な判読が出来るのでそのようにしても良い。（図示省略）
本発明は以上のように構成されている。
【０２４６】
（第２９の実施の形態）
本発明の第２９の実施の形態について、図３５により説明する。
この実施の形態は、次によりなされた電気通信機械器具などに設けられるスライド式の設定つまみの目盛である。
イ、図３５のように目盛本体１０の中央に穴をあけ開口部２２を設ける。
この開口部２２の両側に、目盛値が０から１０の範囲で、目盛値間隔が１毎に、それぞれの目盛位置を示す目盛表示である「０」、「１」、「２」、「３」、「４」、「５」、「６」、「７」、「８」、「９」、「１０」の目盛数字５０ｂを、下側から上側に昇順に設ける。
また、それぞれの目盛数字５０ｂと開口部２２の間に、設定を行いやすくするため印１１２を設ける。
次に、開口部２２上を、指針４８が形成された設定用つまみ４９が移動し目盛設定を行う構造とする。
【０２４７】
ロ、目盛値が０の目盛表示を起点２０とする。
ハ、任意に定める目盛間隔は１目盛とする。
二、起点２０から、任意に定める目盛間隔である１目盛毎のそれぞれの目盛表示に、順に、０から１ずつ昇順に仮番号を付番する。
ホ、その仮番号の最下位の数が２、３、７、８となる目盛表示１０２ｂ、１０３ｂ、１０７ｂ、１０８ｂの目盛数字５０ｂを円形の線で囲む。
【０２４８】
このように、目盛表示１０２ｂ、１０３ｂ、１０７ｂ、１０８ｂの目盛数字５０ｂを円形の線で囲み、仮番号の最下位の数が１、４、６、９となる目盛表示１０１ｂ、１０４ｂ、１０６ｂ、１０９ｂの目盛数字５０ｂを円形の線で囲まないことにより、目盛表示１０２ｂ、１０３ｂ、１０７ｂ、１０８ｂと目盛表示１０１ｂ、１０４ｂ、１０６ｂ、１０９ｂの表示方法が異なるものとする。
【０２４９】
このような目盛をスライド式の設定つまみに設ければ、目盛表示１０２ｂ、１０３ｂ、１０７ｂ、１０８ｂの目盛数字５０ｂの「２」、「３」、「７」、「８」を円形の線で囲み、目盛表示１０１ｂ、１０４ｂ、１０６ｂ、１０９ｂの目盛数字５０ｂの「１」、「４」、「６」、「９」は円形の線で囲まないことで、「２」、「３」、「７」、「８」の目盛表示１０２ｂ、１０３ｂ、１０７ｂ、１０８ｂを直感的に判別出来る。
【０２５０】
また、この「２」、「３」、「７」、「８」の目盛表示１０２ｂ、１０３ｂ、１０７ｂ、１０８ｂが直感的に判別出来ることで、隣り合う「１」、「４」、「６」、「９」の目盛表示１０１ｂ、１０４ｂ、１０６ｂ、１０９ｂも直感的に判別出来る。
以上のことから目盛表示１０１ｂ、１０２ｂ、１０３ｂ、１０４ｂ、１０６ｂ、１０７ｂ、１０８ｂ、１０９ｂを直感的に判別出来るので目盛設定が行いやすい。
【０２５１】
また、このように隣り合う「２」と「３」、「７」と「８」の目盛表示１０２ｂ、１０３ｂ、１０７ｂ、１０８ｂを円形の線で囲むことで、この「２」、「３」、「７」、「８」の目盛表示の位置を把握しやすい。
【０２５２】
また、この円形の線で囲まれた「２」、「３」の目盛表示は目盛表示１０１ｂ、１０２ｂ、１０３ｂ、１０４ｂである「１」、「２」、「３」、「４」の中央に位置するとともに、同じく円形の線で囲まれた「７」、「８」の目盛表示も目盛表示１０６ｂ、１０７ｂ、１０８ｂ、１０９ｂである「６」、「７」、「８」、「９」の中央に位置しているため、「２」、「３」、「７」、「８」の目盛数字５０ｂの位置を把握しやすい。
【０２５３】
また、この円形の線で囲まれた「２」、「３」、「７」、「８」の目盛数字５０ｂによる目盛表示が設けられたことで、円形の線で囲まれた「２」、「３」、「７」、「８」の目盛表示１０２ｂ、１０３ｂ、１０７ｂ、１０８ｂが目安となり全体的な目盛位置の把握が行いやすい。
【０２５４】
また、目盛設定を行う際には、目盛本体１０に設けられた切欠き４５上を、スライド式の設定用つまみ４９をスライドさせることで目盛設定を正確かつ迅速に行うことが出来る。
また、目盛表示１０２ｂ、１０３ｂ、１０７ｂ、１０８ｂと目盛表示１０１ｂ、１０４ｂ、１０６ｂ、１０９ｂの表示方法が異なる方法は、これ以外に、目盛数字のフォントの種類やポイントの大きさを変えたりするなど、表示方法に相違点があればどのようなものでも良い。
本発明は以上のように構成されている。
【０２５５】
前記の各実施の形態で説明したように、目盛値が０となる目盛線を起点として任意に定める目盛値間隔毎のそれぞれの目盛線に０から１ずつ昇順に仮番号を付番し、その仮番号の最下位の数が２、３、７、８となる目盛線と仮番号の最下位の数が１、４、６、９となる目盛線の表示方法が異なることとする方法は、表示方法に相違点があればどのような方法でも良い。
【０２５６】
また、目盛値が０となる目盛線を起点として任意に定める目盛値間隔毎のそれぞれの目盛線に０から１ずつ昇順に仮番号を付番し、その仮番号の最下位の数が３、８となる目盛線と仮番号の最下位の数が１、２、４、６、７、９となる目盛線の表示方法が異なることとする方法も、表示方法に相違点があればどのような方法でも良い。
【０２５７】
また、目盛値が０となる目盛線を起点として任意に定める目盛値間隔毎のそれぞれの目盛線に０から１ずつ昇順に仮番号を付番し、その仮番号の最下位の数が２、７となる目盛線と仮番号の最下位の数が１、３、４、６、８、９となる目盛線の表示方法が異なることとする方法も、表示方法に相違点があればどのような方法でも良い。
【０２５８】
また、本発明は、目盛位置を示す複数の目盛線、複数の目盛数字や印からなる目盛であれば、どのような目盛にも利用出来、スケール・巻尺・曲尺・ノギス・ダイヤルゲージ・テーパーゲージ・分度器・プロトラクター・三角スケール・方向コンパス・液量計・流量計・気圧計・重量計・電流計など測定機械器具及び計量器、旋盤など金属加工機械器具、スケールルーペなど光学機械器具、注射筒や血圧計など医療用機械器具、電気通信機械器具、車両・船舶及び航空機の計器など広い分野の目盛として利用出来る。
【０２５９】
本発明の対象とする目盛の単位も、長さ、圧力、気圧、温度、湿度、重量、体積、角度、方位、電圧、電流量、光度、速度、深度、高度、回転数、騒音、血圧などどのような単位の目盛としても良い。
【０２６０】
本発明の目盛の形状は、平面や円柱の円柱面のような形状などどのような形状としても良い。
また、本発明の目盛は、旋盤の送りハンドルに設けられる目盛のように、所要な部品などに設けられる目盛としても良い。
また、本発明は、測定機器や分析装置などの液晶画面などに表示される測定結果や設定画面などに設けられる目盛としても良い。
また、本発明の目盛は、測定結果などを印刷物に表示する場合の目盛としても良い。
【０２６１】
また、スケールの目盛を電気泳動素子等の電子ペーパーにより表示する構造とし、第１、２、３、４、６、７、８、１２、２０、２１、２３、２４の実施の形態の何れかの複数の目盛を切り替えて表示出来るスケールとしても良い。
このようにすることで、使用状況に合わせた目盛を表示出来るのでそのようにしても良い。
【０２６２】
また、本発明の目盛は、紙、プラスチック、木材、竹、ガラス、金属など目盛を設けることが出来る素材であれば、どのような素材に設けても良い。  
【０２６３】
また、前記の実施の形態では、目盛値の範囲が、長さ０〜１０ｃｍ、０〜１ｃｍ、０〜１００ｃｍ、温度マイナス１０℃〜プラス３０℃、圧力０〜０．６ＭＰａ、湿度１０〜６０％などの目盛としたが、本発明はこれに限定されるものではなく、目盛範囲はどのような範囲のものでも良い。
【０２６４】
また、目盛位置を複数の目盛線で示す目盛のうち、目盛値が０までの目盛線が形成されない目盛においては、第１６の実施の形態のように、目盛値が０となる想定の目盛線を起点とし、任意に定める目盛値間隔毎の想定の目盛線を含めたそれぞれの目盛線に０から１ずつ昇順に仮番号を付番し、実際に形成されている仮番号の最下位の数が２、３、７、８となる目盛線と仮番号の最下位の数が１、４、６、９となる目盛線の目盛線の表示方法が異なるものとする。
このようにすることで、目盛値が０までの目盛線が形成されない目盛についても、それぞれの目盛線の直感的な判別と、目盛値の容易な判読が出来る。
【０２６５】
また、目盛位置を複数の目盛表示で示す目盛においても、目盛値が０までの目盛表示が設けられない目盛においては、目盛値が０となる想定の目盛表示を起点とし、任意に定める目盛間隔毎の想定の目盛表示を含めたそれぞれの目盛表示に０から１ずつ昇順に仮番号を付番し、実際に設けられている仮番号の最下位の数が２、３、７、８となる目盛表示と仮番号の最下位の数が１、４、６、９となる目盛表示の表示方法が異なるものとする。
このようにすることで、目盛値が０までの目盛表示が設けられない目盛についても、それぞれの目盛表示の直感的な判別と、目盛値の容易な判読が出来る。
【０２６６】
図１の第１の実施の形態に基づき、本発明の使用方法を説明する。
まず、目盛数字が円形の線で囲まれた２、３、７、８ｃｍの目盛線を目安にして、ｃｍ単位の目盛線の把握を行う。
次に、４本ずつ形成される最小目盛線が、目盛値が０の方向から数えて２番目の目盛線と３番目の目盛線の線幅が１番目と４番目の目盛線の線幅に比べて太くなどされていて、この２番目と３番目の目盛線の目盛値はｃｍ単位に換算して小数点以下第一位の数が２、３、７、８となることを把握し、そこに設けられた目盛数字５０ａの「２」、「３」、「７」、「８」を目安にして目盛線の目盛値の判読を行う。
【符号の説明】
【０２６７】
１０  目盛本体
２０  起点
２２  開口部
３１；３１ａ；３１ｂ  仮番号の最下位の数が１となる目盛線
３２；３２ａ；３２ｂ  仮番号の最下位の数が２となる目盛線  
３３；３３ａ；３３ｂ  仮番号の最下位の数が３となる目盛線
３４；３４ａ；３４ｂ  仮番号の最下位の数が４となる目盛線
３５；３５ａ；３５ｂ  仮番号の最下位の数が５となる目盛線
３６；３６ａ；３６ｂ  仮番号の最下位の数が６となる目盛線
３７；３７ａ；３７ｂ  仮番号の最下位の数が７となる目盛線
３８；３８ａ；３８ｂ  仮番号の最下位の数が８となる目盛線
３９；３９ａ；３９ｂ  仮番号の最下位の数が９となる目盛線
４０  印
４１  測定対象物
４２  補助目盛線
４５  切欠き
４６  目盛線先端
４７  止め線
４８  指針
４９  設定つまみ
５０  目盛数字；５０ａ；５０ｂ
５１  １番目盛線
５２  ２番目盛線
５３  ３番目盛線
５４  ４番目盛線
６０  最小目盛線
６２  小目盛線
６４  中目盛線
６６  大目盛線
１０１ｂ  仮番号の最下位の数が１となる目盛表示
１０２ｂ  仮番号の最下位の数が２となる目盛表示
１０３ｂ  仮番号の最下位の数が３となる目盛表示
１０４ｂ  仮番号の最下位の数が４となる目盛表示
１０５ｂ  仮番号の最下位の数が５となる目盛表示
１０６ｂ  仮番号の最下位の数が６となる目盛表示
１０７ｂ  仮番号の最下位の数が７となる目盛表示
１０８ｂ  仮番号の最下位の数が８となる目盛表示
１０９ｂ  仮番号の最下位の数が９となる目盛表示
１１２  印
６００  従来の目盛本体
【図１】
2020030222.tif 000003
【図２】
2020030222.tif 000004
【図３】
2020030222.tif 000005
【図４】
2020030222.tif 000006
【図５】
2020030222.tif 000007
【図６】
2020030222.tif 000008
【図７】
2020030222.tif 000009
【図８】
2020030222.tif 000010
【図９】
2020030222.tif 000011
【図１０】
2020030222.tif 000012
【図１１】
2020030222.tif 000013
【図１２】
2020030222.tif 000014
【図１３】
2020030222.tif 000015
【図１４】
2020030222.tif 000016
【図１５】
2020030222.tif 000017
【図１６】
2020030222.tif 000018
【図１７】
2020030222.tif 000019
【図１８】
2020030222.tif 000020
【図１９】
2020030222.tif 000021
【図２０】
2020030222.tif 000022
【図２１】
2020030222.tif 000023
【図２２】
2020030222.tif 000024
【図２３】
2020030222.tif 000025
【図２４】
2020030222.tif 000026
【図２５】
2020030222.tif 000027
【図２６】
2020030222.tif 000028
【図２７】
2020030222.tif 000029
【図２８】
2020030222.tif 000030
【図２９】
2020030222.tif 000031
【図３０】
2020030222.tif 000032
【図３１】
2020030222.tif 000033
【図３２】
2020030222.tif 000034
【図３３】
2020030222.tif 000035
【図３４】
2020030222.tif 000036
【図３５】
2020030222.tif 000037
【図３６】
2020030222.tif 000038